(57)【特許請求の範囲】
【請求項１】
対向側部フランジおよび該側部フランジの一方に近接して配置された側部ピボットを有する制御ハウジングを含むベースアセンブリと、
直立およびリクライニング位置間を移動するように該ベースアセンブリに回動可能に取り付けられた背もたれと、
前記ベースアセンブリ上に作動可能に支持され、前記背もたれと調和した同期移動を行うように前記背もたれに連結された座部と、
前記背もたれを直立位置の方に押しつけるためのエネルギ機構と
を備えており、
該エネルギ機構は、前記制御ハウジング内に横方向に配置されて一端部が前記側部フランジの一方に支持された伸縮スプリングを含み、さらに、前記側部ピボットに回動可能に取り付けられたレバーを含み、該レバーは、前記スプリングの自由端部に係合するスプリング係合部分および座部に作動連結された座部付勢部分を有しており、
前記側部ピボット、前記スプリング係合部分および前記座部付勢部分は互いに間隔を置いて配置されて、前記スプリングがほぼ前記側部ピボットに位置する支点回りに前記レバーを押しつけることによって前記背もたれが直立位置の方に押しつけられるように構成されており、前記側部ピボットは、調節時に前記レバー上で支点の位置を変化させるように構成された調節式ピボット部材を含む椅子。
【請求項２】
前記ピボット部材および前記レバーは接合表面を含み、該接合表面の少なくとも一方が曲線形である請求項１記載の椅子。
【請求項３】
前記接合表面は、噛み合い歯を含む請求項２記載の椅子。
【請求項４】
前記レバーは、Ｌ字形ベルクランクを有しており、前記支点は該Ｌ字形ベルクランクの一方の脚部のほぼ中間部分に沿って位置している請求項３記載の椅子。
【請求項５】
前記レバーおよび前記ピボット部材は、垂直軸線回りに回動可能に取り付けられていると共に、共通の水平面上で移動可能であることによって、前記制御部ハウジング内にコンパクトに配置されている請求項１記載の椅子。
【請求項６】
前記スプリングは前記制御部ハウジングによって支持されて、前記背もたれのリクライニング中、前記スプリングの自由端部が前記支持端部の方に移動すると共に、同時に前後方向に沿って移動するようにして前記レバーに係合している請求項１記載の椅子。
【請求項７】
対向側部フランジおよび該側部フランジの一方に近接して配置された側部ピボットを有する制御ハウジングを含むベースアセンブリと、
直立およびリクライニング位置間を移動するように該ベースアセンブリに回動可能に取り付けられた背もたれと、
前記ベースアセンブリ上に作動可能に支持され、前記背もたれと調和した同期移動を行うように前記背もたれに連結された座部と、
前記背もたれを直立位置の方に押しつけるためのエネルギ機構と
を備えており、
該エネルギ機構は、前記制御ハウジング内に横方向に配置されて一端部が前記側部フランジの一方に支持された伸縮スプリングを含み、さらに、前記側部ピボットに回動可能に取り付けられたレバーを含み、該レバーは、前記スプリングの自由端部に係合するスプリング係合部分および座部に作動連結された座部付勢部分を有しており、
前記側部ピボット、前記スプリング係合部分および前記座部付勢部分は互いに間隔を置いて配置されて、前記スプリングがほぼ前記側部ピボットに位置する支点回りに前記レバーを押しつけることによって前記背もたれが直立位置の方に押しつけられるように構成されており、
前記スプリングは前記制御部ハウジングによって支持されて、前記背もたれのリクライニング中、前記スプリングの自由端部が前記支持端部の方に移動すると共に、同時に前後方向に沿って移動するようにして前記レバーに係合しており、
前記背もたれのリクライニング中、前記レバーは、前記スプリングを長手方向に圧縮すると共に、前記スプリングを非線形状に側方に曲げるようにした椅子。
【請求項８】
ピボット部材を含む制御部ハウジングと、直立およびリクライニング位置間を移動するように該制御部ハウジングに作動連結されたリクライニング式背もたれと、前記制御部ハウジング内に設けられて前記背もたれを直立位置の方に押しつけるエネルギ源とを有する椅子において、
前記制御部ハウジング内に設けられた前記ピボット部材と、
前記制御部ハウジング内に横方向に配置された伸縮可能な前記エネルギ源と、
一端部が前記エネルギ源および前記ピボット部材に係合すると共に他端部が前記背もたれの下部分に直接的または間接的に取り付けられたレバーと
を備えた調節式背もたれ張力制御装置であって、
前記下部分は前後方向に移動可能で、前記レバーを前記エネルギ機構の弾性力で回動させるように付勢することで前記背もたれの前記下部分を後方へ付勢して前記背もたれを直立位置へと押しつけ、
前記レバーおよび前記ピボット部材は滑り止め接合表面を有し、その少なくとも一方が曲線形であることによって、前記背もたれのリクライニング中に前記レバーを回転させた時、接合表面が係合して移動支点を定め、さらに、前記ピボット部材を調節した時に支点の位置が変化して、前記エネルギ源が作動するモーメントの腕を変化させるようにした調節式背もたれ張力制御装置を備える椅子。
【請求項９】
前記レバーは、中間位置で前記ピボット部材に回動可能に係合して支点を定める脚部を含むベルクランクを有する請求項８記載の椅子。
【請求項１０】
前記レバーは、ほぼ垂直の軸線回りに水平面上で回動することによって、前記制御ハウジング内にコンパクトに配置されるようにした請求項９記載の椅子。
【請求項１１】
リンクと、該リンクによって前記レバーに作動連結された座部係合ブラケットとを備えて、前記レバーが該座部係合ブラケットおよび座部を後方に押しつけるようにした請求項１０記載の椅子。
【請求項１２】
前記ピボット部材は、前記ピボット部材の接合表面から間隔を置いたピボット位置で前記制御部ハウジングに回動可能に取り付けられており、前記ピボット部材の前記接合表面は弓形であって、ピボット位置から一定半径をなす請求項９記載の椅子。
【請求項１３】
前記接合表面は、ラック／ピニオン状に噛み合う歯を有する請求項１２記載の椅子。
【請求項１４】
前記レバーの前記接合表面も曲線形状を有する請求項１３記載の椅子。
【請求項１５】
モーメントの腕の長さを変化させるために前記ピボット部材を角調節する調節機構を備えた請求項８記載の椅子。
【請求項１６】
前記調節機構は、前記ピボット部材を調節する時にユーザがオーバートルクを掛けることを防止するためのオーバートルク装置を含む請求項１５記載の椅子。
【請求項１７】
前記制御部ハウジング上に作動可能に配置されて、前記レバーおよび前記背もたれ間に相互連結された座部を備えた請求項８記載の椅子。
【請求項１８】
前記接合表面は、ラック／ピニオン状に噛み合う歯を有する請求項８記載の椅子。
【請求項１９】
ベースアセンブリと、
第１および第２位置間を移動するように該ベースアセンブリに回動可能に取り付けられたリクライニング式背もたれおよび可動式座部の一方を有する部材と、
一端部が前記ベースアセンブリに係合し横方向に配置されたスプリングを有するエネルギ機構と、
前記背もたれの下部分に直接的または間接的に取り付けられた端部を有するレバーと
を備えており、
前記下部分は前後方向に移動可能で、前記レバーを前記エネルギ機構の弾性力で回動させるように付勢することで前記背もたれの前記下部分を後方へ付勢して前記背もたれを直立位置へと押しつけ、
該スプリングは長さを有し、前記部材が第１位置から第２位置に移動する時、長さに沿って長手方向に圧縮されると同時に長さに直交する方向において側方に曲がる椅子。
【請求項２０】
前記スプリングの他端部に接触した第１端部と前記部材にリンク結合された第２端部とを有するレバーを備えた請求項１９記載の椅子。
【請求項２１】
前記レバーは、前記ベースアセンブリに回動可能に取り付けられている請求項２０記載の椅子。
【請求項２２】
前記部材は、座部を含む請求項２１記載の椅子。
【請求項２３】
前記座部に作動連結されてそれと同時に移動する背もたれフレームを備えた請求項２２記載の椅子。
【請求項２４】
制御部ハウジングを含むベースアセンブリと、
該制御部ハウジング上に摺動可能に支持された座部と、
直立およびリクライニング位置間を移動するように前記ベースアセンブリに回動可能に連結されていると共に、前記座部に作動可能に取り付けられて、前記座部の摺動移動に同期して回動移動するようにした背もたれフレームを有する背もたれと、
長さ及び前記制御部ハウジングに係合する端部を有すると共に横方向に配置されたスプリング、および該コイルスプリングの端部に係合した第１脚部および前記スプリングの長さにほぼ平行に延在する第２脚部を有するＬ字形トルク部材を含むエネルギ機構と、
前記背もたれの下部分に直接的または間接的に取り付けられた端部を有するレバーと
を備えており、
前記第１脚部は前記スプリングの端部から離れた位置で前記制御部ハウジングに回動可能に係合し、前記第２脚部は前記座部および前記背もたれフレームの一方に作動連結されて、前記スプリングが前記トルク部材を押しつけると、前記背もたれフレームが直立位置の方に押しつけられ、前記下部分は前後方向に移動可能で、前記レバーを前記エネルギ機構の弾性力で回動させるように付勢することで前記背もたれの前記下部分を後方へ付勢して前記背もたれを直立位置へと押しつけるようにした椅子。
【請求項２５】
前記第１脚部は、前記背もたれフレームが直立およびリクライニング位置間を移動する時、制御部ハウジング上の構造体に転がりおよび回動の両状態で係合する曲線表面を含む請求項２４記載の椅子。
【請求項２６】
前記制御部ハウジング上の前記構造体は、前記第１脚部の曲線表面に係合する接合表面を有するピボット部材を含み、該表面は噛み合い係合して望ましくない滑りを防止するように構成されている請求項２５記載の椅子。
【請求項２７】
前記制御部ハウジングは、前記座部の下側の比較的薄く水平方向に延在するコンパートメントを形成しており、
前記エネルギ機構は、前記レバーを調節可能に回動するように支持して前記エネルギ源から前記レバーを介して前記座部に伝達される力を調節可能に制御する調節部材を含み、前記エネルギ機構、前記レバーおよび前記調節部材は、前記比較的薄く水平方向に延在するコンパートメント内で作動するように水平方向だけに移動可能である、請求項１記載の椅子。
【請求項２８】
前記調節部材は、前記レバーを移動させて前記レバーの支点を調節できるように前記制御部ハウジングに作動可能に取り付けられている請求項２７記載の椅子。
【請求項２９】
前記ベースアセンブリは、前記ハウジングを組み込んだベースフレームを含む請求項１記載の椅子。
【請求項３０】
前記ベースアセンブリは、前記ハウジングを組み込んだベースフレームを含む請求項１９記載の椅子。
【請求項３１】
前記ベースアセンブリは、前記ハウジングを組み込んだベースフレームを含む請求項２４記載の椅子。
【請求項３２】
前記ベースアセンブリは、前記ハウジングを組み込んだベースフレームを含む請求項２７記載の椅子。
【請求項３３】
制御部ハウジングを含むベースアセンブリと、
該制御部ハウジング内に横方向に配置されて圧縮力を与える単一の蓄積エネルギ源と、
前記ベースアセンブリに回動可能に取り付けられると共に前後方向に移動可能な下部分を有して後方へ押し付けられる背中支持部と、
一端が前記背中支持部の下部分に作動可能に取り付けられると共に他端が前記蓄積エネルギ源に係合して直立位置及びリクライニング位置間を移動するように前記蓄積エネルギ源と作動可能に相互連結されたレバーと
を備え、
前記蓄積エネルギ源は、該背中支持部を直立位置の方に押しつけるプレテンションを加えると共に、リクライニング時に前記背中支持部の傾動に対する抵抗を与え、さらに、
前記蓄積エネルギ源のプレテンションおよび前記背中支持部の傾動率を調整するコントローラであって、前記蓄積エネルギ源の圧縮力に打ち勝たなくても調節することができる調節可能な支点を定める前記レバーを含むコントローラと
を備える椅子。
【請求項３４】
前記背中支持部に係合してそれを前記エネルギ源に相互連結する座部を含む請求項３３記載の椅子。
【請求項３５】
制御部ハウジングを含むベースアセンブリと、
直立およびリクライニング位置間を移動するように背もたれピボットで前記ベースアセンブリに回動可能に取り付けられた背もたれフレームと、
前記ベースアセンブリおよび前記背もたれフレーム上に作動可能に支持されており、ほぼ水平方向に摺動するように前記制御部ハウジングに摺動可能に係合したスライド部材を含むと共に、前座部ピボットで該スライド部材に回動可能に取り付けられ、後座部ピボットで前記背もたれフレームに回動可能に取り付けられた座部キャリアを含む座部支持構造体と、
前記制御部ハウジング内に配置されたスプリング機構と
を備えており、
該スプリング機構は、前記スライド部材に作動連結されており、前記制御部ハウジング内に横方向に配置されたスプリングを含み、さらに、前記制御部ハウジングに作動可能に回動連結されたレバーを含み、該レバーは一端部で前記スプリングに作動可能に係合し、他端部で前記座部支持構造体に作動可能に係合しており、さらに、
ピボット部材を備えており、該ピボット部材および前記レバーは接合表面を有し、その少なくとも一方が曲線形であることによってラック／ピニオン式に作動し、前記ピボット部材を調節して前記レバーの支点を変化させることによって、前記スプリングが作動するモーメントの腕の長さを変化させることができる椅子。
【請求項３６】
前記制御部ハウジング内に配置された背もたれ停止部を備えており、該背もたれ停止部は、前記座部支持構造体に係合して前記背もたれフレームのリクライニングを制限できるように構成されている請求項３５記載の椅子。
【請求項３７】
前記背もたれ停止部は、垂直軸線回りに回転するように前記制御部ハウジングに回動可能に取り付けられたカムを含み、該カムは、前記座部支持構造体に係合するように選択的に配置することができる複数のステップを含む請求項３６記載の椅子。
【請求項３８】
前記座部の前記前部分と、腰掛けている一般的な成人ユーザの体重を支持することができる前記座部のその他の部分との間に作動連結されて、前記前部分の位置を前記座部の前記その他の部分に対して調節するように作動するガススプリングを備えた、請求項１記載の椅子。
【請求項３９】
前記ガススプリングは、戻り止め式であると共に解除可能である請求項３８記載の椅子。
【請求項４０】
前記座部に連結された制御部を備えていると共に、前記ガススプリングに作動連結されて該ガススプリングを解除して調節できるようにするリンクを備えた請求項３９記載の椅子。
【請求項４１】
前記座部の前部分と前記座部のその他の部分との間に配置されてそれらを弾性的に支持するリーフスプリングを備えた、請求項１記載の椅子。
【請求項４２】
トラックを形成する側壁を有する制御部ハウジングを含むベースアセンブリと、
該トラックに摺動可能に係合した軸受けを有する前部分を有すると共に後部分を有しており、座部シェルと、背もたれに対する該座部シェルの深さを調節する深さ調節構造部とを含む座部と、
直立位置およびリクライニング位置間を移動するように、前記ベースアセンブリに回動可能に取り付けられると共に下部分を有し、また別に前記座部に回動可能に取り付けられた背もたれであって、前記座部の前記後部分は該背もたれに回動可能に取り付けられて、前記背もたれがリクライニングするのに同期して、前記座部が前方に移動し、前記座部の後部分が前下方に移動するようにした背もたれと、
前記制御部ハウジング内に配置されて、前記座部に直接的または間接的に連結されて前記座部を後方に押しつけるスプリング機構と
を備えており、
該スプリング機構は、前記制御部ハウジング内に横方向に配置された伸縮スプリングと、前記制御部ハウジングに回動可能に連結されて、前記背もたれを直立位置に押しつけるために前記伸縮スプリングから前記座部にエネルギを伝達するモーメントの腕を前記伸縮スプリングとの間に定めるレバーとを含み、
前記座部及び前記下部分は、前記レバーを前記伸縮スプリングの弾性力で回動させるように付勢することで前記背もたれの前記下部分を後方へ付勢して前記背もたれを直立位置へと押しつける椅子。
【請求項４３】
前記座部は、前記座部シェルを支持する座部キャリアと、前記シェルを該座部キャリアに摺動可能に係合させる線形軸受けとを含む請求項４２記載の椅子。
【請求項４４】
前記座部キャリアおよび前記シェル間に作動可能に延在して前記シェルを選択深さ位置に保持するラッチを備えた請求項４３記載の椅子。
【請求項４５】
前記座部に連結されて前記ラッチを作動させる制御部を含む請求項４４記載の椅子。
【請求項４６】
前記ベースアセンブリは、前記ハウジングを含むベースフレームを含むと共に、さらに、前記背もたれピボットで前記背もたれフレームを支持する側部アームを含む請求項３５記載の椅子。
【請求項４７】
前記ベースアセンブリ上の背もたれピボットを形成する前記背もたれと、
前記背もたれピボットから後方かつ下方に間隔を置いた座部ピボットで前記背もたれフレームに回動可能に取り付けられた前記座部と
を備えており、
該座部は水平方向に移動するように前記ベースアセンブリの前部分で摺動可能に支持されており、前記背もたれピボットおよび前記座部ピボットは、前記背もたれフレームがリクライニングするのと同期した回動移動で、前記座部をほぼ前方に移動させ、前記座部の後部分を下方に移動させるように相互連結されて構成されており、
前記座部は、前記制御部ハウジングに摺動可能に係合した座部スライド部材を含み、さらに、第１ピボットで前記座部スライドに回動可能に係合すると共に第２ピボットで前記背もたれフレームに回動可能に係合した座部支持キャリアを含む、請求項１記載の椅子。
【請求項４８】
前記ベースアセンブリは、前記背もたれフレームおよび前記座部の一部分を支持するように前記座部にほぼ隣接して上方に延出した側部アームを含む請求項４７記載の椅子。
【請求項４９】
前記背もたれフレームは、前記側部アームに回動可能に取り付けられている請求項４８記載の椅子。
【請求項５０】
前記座部は、前記側部アームにほぼ隣接した位置で前記背もたれフレームに回動可能に取り付けられている請求項４９記載の椅子。
【請求項５１】
前記エネルギ機構は前記制御部ハウジング内に横方向に配置されたスプリングを含み、さらに、該スプリングを前記座部および前記背もたれフレームの一方に作動連結するレバーを含む請求項４７記載の椅子。
【請求項５２】
前記制御部ハウジングは、対向側部フランジを含み、前記座部は、該側部フランジに摺動可能に係合した軸受けを含む請求項４７記載の椅子。
【請求項５３】
前記座部は、腰掛けている成人ユーザの臀部を支持することができる後部分を有するたわみ座部シェルを含み、さらに、腰掛けている成人ユーザの大腿部を支持することができると共に、前記後部分にたわみ可能に連結された前部分を含み、前記後部分は前記座部支持キャリアに載ってそれによって支持されている請求項４７記載の椅子。
【請求項５４】
前記座部は、前記ベースアセンブリに摺動可能に連結されて前記背もたれフレームに回動可能に連結された座部支持キャリアを含み、さらに、手動での深さちょうせつを可能にする前記座部支持キャリア上に摺動可能に支持された座部シェルを含む請求項４７記載の椅子。
【請求項５５】
少なくとも２つの垂直方向に間隔を置いた位置で前記背もたれフレームに取り付けられた服従背もたれアセンブリを備えており、該服従背もたれアセンブリは、前記少なくとも２つの垂直方向に間隔を置いた位置の間でたわんで最適腰部支持を行うことができるように構成されている請求項４７記載の椅子。
【請求項５６】
前記服従背もたれアセンブリは、弾性的にたわむ一体形シェルを含む請求項５５記載の椅子。
【請求項５７】
前記服従背もたれアセンブリは、それぞれが人の背中の一部を支持する表面を有する複数部材の組み合わせ体を含む請求項５５記載の椅子。
【請求項５８】
制御ハウジングを含む可動式ベースアセンブリと、
直立およびリクライニング位置間を移動するように前記ベースアセンブリに回動可能に取り付けられた背もたれと、
前記ベースアセンブリ上に作動可能に支持され、実質的に後方の作業位置および前方作業位置間を移動するように前記背もたれに連結された座部と
を備えており、
該座部は、前記ベースアセンブリに摺動可能に連結された前部分を含み、該前部分は前記背もたれのリクライニング時に前方へ水平方向に移動することによって、リクライニング中に腰掛けているユーザの脚が不都合に床面から持ち上げられることがないようにしており、
前記座部はさらに、前記前部分にたわみ可能に連結された後部分を含み、該後部分は前記背もたれに連結されて、リクライニング時に前下方に移動することによって、リクライニング中に前記座部および前記背もたれが同期角移動して腰掛けているユーザの姿勢を快適に支持すると共に、前記座部の最大前方移動および前記背もたれの最大角移動が、リクライニング中に腰掛けているユーザの手を比較的一定に保持するストロークに制限されるようにすることによって、腰掛けているユーザがすべての腰掛け位置で容易に快適に作業を継続することができ、さらに、
前記制御ハウジング内に横方向に配置されたスプリング機構を備え、さらに、該スプリング機構に回動可能に係合すると共に前記座部に作動連結されて、前記座部を後方作業位置の方に押しつけると共に、同時に前記背もたれを直立位置の方に押しつけるレバーを備えており、該レバーの一端部が前記スプリング機構に係合すると共に他端部が前記背もたれの下部分に直接的または間接的に取り付けられ、前記スプリング機構は、該スプリング機構の弾性力で回動させるように前記レバーを付勢することで前記背もたれの前記下部分を後方へ付勢して前記背もたれを直立位置へと押しつけ、
前記制御部ハウジングは側部アームを含み、前記座部は、該側部アームに摺動可能に係合した軸受けを含む椅子。
【請求項５９】
前記側部アームは、前記座部の後部の、軸線が腰掛けているユーザの股関節にほぼ整合するよう適応される位置で前記背もたれを回動可能に支持している請求項５８記載の椅子。
【請求項６０】
前記スプリング機構は、腰掛けているユーザの快適さを増すために前記座部の前記前部分をたわみ移動可能に弾性的に支持するスプリングを含む請求項５８記載の椅子。
【請求項６１】
前記座部はさらに、腰掛けているユーザに調節可能な快適さを与えるために、前記前部分を調節移動できるように作動可能かつ調節可能に支持する解除可能にロック可能なガススプリングを含む請求項６０記載の椅子。
【請求項６２】
前記後部分は、腰掛けている成人ユーザの臀部および腰掛けている成人ユーザの体重の大部分を支持するように構成かつ適応され、前記前部分は、前記背もたれのリクライニング中に腰掛けている成人ユーザの脚を持ち上げることなく腰掛けている成人ユーザの大腿部をたわみ可能に快適に支持するように構成かつ適応されている請求項５９記載の椅子。
【請求項６３】
前記座部は、前記ベースアセンブリ上に摺動可能に支持されて前記背もたれに回動可能に係合した座部支持キャリアを含み、さらに、該座部支持キャリア上で手動式に深さ調節可能な座部シェルを含む請求項５９記載の椅子。
【請求項６４】
制御部ハウジングおよび上方延出側部アームを含む可動式スパイダ脚付きベースアセンブリと、
該側部アームの対応のものに近接して配置されて、それぞれが第１スタッドおよび該第１スタッドに係合した回転可能な第１軸受けを有する背もたれピボットで前記側部アームに回動可能に取り付けられた特殊形状端部分付きの下部分を有する逆Ｕ字形背もたれフレームと、
前記制御部ハウジング上に摺動可能に支持されており、前記背もたれピボットから間隔を置いて配置されてそれぞれが第２スタッドおよび該第２スタッドに係合した回転可能な第２軸受けを有する座部ピボットで前記特殊形状端部に回動可能に取り付けられた座部キャリアを含む座部と、
横方向のスプリングと、該スプリングおよび前記座部に作動可能に係合して前記座部を後方位置に押しつけ、それによって前記背もたれフレームを直立位置の方に押しつけるレバーであって、該レバーの一端部が前記スプリングに係合すると共に他端部が前記背もたれの下部分に直接的または間接的に取り付けられ、前記スプリングの弾性力で回動させるように前記レバーを付勢することで前記下部分が後方へ付勢されて前記背もたれを直立位置へと押しつけるレバーと、該レバーに調節可能に係合してリクライニング中に移動する支点を定め、手動調節可能に変化して支点の位置を変化させることによって前記座部に対する前記スプリングの力を調節可能に制御することができる調節ピボット部材とを含む調節式エネルギ機構と
を備えた椅子。
【請求項６５】
前記座部はさらに、腰掛けているユーザの快適さを増すために、前記前部分の左右側部を独立的にたわみ移動可能に弾性的に支持するスプリングを含む請求項５３記載の椅子。
【請求項６６】
前記座部はさらに、腰掛けているユーザに調節可能な快適さを与えるために、前記前部分を調節移動できるように作動可能かつ調節可能に支持する解除可能にロック可能なガススプリングを含む請求項５３記載の椅子。
【請求項６７】
前記ベースアセンブリ上に支持されて、前記座部に作動可能に係合する可変背もたれ停止機構を備えており、
該可変背もたれ停止機構は、前記座部を停止させると同時に、前記背もたれのリクライニングを直立およびリクライニング位置間の複数の選択可能位置に停止させるように構成されている、請求項１記載の椅子。
【請求項６８】
前記第１ピボット軸線は、前記座部の後部の、腰掛けているユーザの股関節にほぼ整合することができる位置に配置されている請求項６７記載の椅子。
【請求項６９】
前記座部は、前記制御部ハウジング上を前後方向に摺動することができる座部前スライドと、前記制御部ハウジングおよび該前スライドに回動可能に相互連結された座部キャリアと、該座部キャリアに摺動可能に係合した座部フレームと、腰掛けている成人ユーザの臀部および大腿部を支持することができる座部シェルとを備えた請求項６７記載の椅子。
【請求項７０】
前記座部シェルは、腰掛けている成人ユーザの臀部を支持すると共に、腰掛けている成人ユーザの体重の大部分を支持するように構成された後部分を含み、さらに、腰掛けている一般的な成人ユーザの大腿部を支持することができる前部分を含み、さらにまた、前記後部分および前記前部分を連結するたわみゾーンを含み、さらに、前記前部分に連結されて、前記座部シェルの前記前部分を前記後部分に対して角調節するように構成された調節装置を含み、該調節装置は前記座部シェルの前記前部分の下側に取り付けられている請求項６９記載の椅子。
【発明の詳細な説明】
【０００１】
（背景）
本発明は、リクライニング式背もたれと、背もたれのリクライニング時に同期移動する前方移動／傾動可能な座部と、リクライニング中に背もたれを支持する調節式エネルギ機構とを有する椅子に関する。
【０００２】
制御部を備えたベースアセンブリと、制御部に回動可能に取り付けられたリクライニング式背もたれと、背もたれおよび制御部に作動連結されて背もたれのリクライニング時に同期移動する座部とを有する同期傾動椅子が（クノブロック(Knoblock)他の）米国特許第５，０５０，９３１号、第５，５６７，０１２号、第４，７４４，６０３号および第４，７７６，６３３号に記載されている。この従来技術の椅子は、作業／仕事（たとえば、背中が直立位置にある時）に関連した身体移動中、およびリクライニング／休憩（たとえば椅子がリクライニング位置にある時）に関連した身体移動中に、椅子支持構造体と組み合わされて高度制御式姿勢支持を行う半剛直のたわみシェルを組み込んでいる。この従来技術の椅子は、ユーザがリクライニングした時にユーザの上半身をユーザの作業面から離れる方向に移動させ、これによってユーザが伸びる領域を広くしている。しかし、ユーザはリクライニングして身体を休めながらでも、また姿勢保持を継続しながら、作業面に近接した位置に留まって作業面での作業を継続することを望む場合が多いことを発見した。米国特許第５，０５０，９３１号の同期傾動椅子においてこれを行うためには、ユーザがリクライニング後に椅子を前方に滑走(scoot)させて、作業面に手が届きやすくする必要がある。また、直立位置に戻す時には、作業面に突き当たるのを避けるために押し離す必要がある。一度や二度の前後方向の「滑走」はおそらく大した問題ではないが、コンピュータを使用する事務作業者などのユーザは直立位置およびリクライニング位置間を絶えず移動することが多いため、前後方向に繰り返し滑走することは煩わしく落ち着かない。実際に、長く腰掛けていることが必要な職業の作業者の背中の健康を良好に保つためには、決まった一カ所に留まらないで動き回わることが重要である。
【０００３】
リクライニング時に腰掛けているユーザの上半身を後方に大きく移動させることの別の問題点は、ユーザの全体重心が後方へ移動するすることである。重心をより一定にすることによって、椅子の全体的安定性を犠牲にすることなくリクライニングまたは高さ調節が可能なリクライニング式椅子を構成することができる。また、腰掛けているユーザの上半身が後方に大きく移動するリクライニング式椅子は床の専有面積が比較的大きいため、小さいオフィスや狭い作業空間で使用した時、これらの椅子は家具や壁に衝突することがある。さらに別の問題点として、背中を支持するためにこれらの既存のリクライニング式椅子では大型のスプリングが必要とされ、これらのスプリングはスプリングで発生する力のために調節が困難である。しかし、体重が重いユーザや軽いユーザが椅子を調節して適量の支持を得られるようにするために、これらのスプリングの張力を調節可能にすることが好ましい。
【０００４】
同時に、腰掛けているユーザは、リクライニング中に背中を支持するスプリングの張力を容易に調節できることを望む。重量／大柄の人は軽量／小柄の人より大きい／堅固な背中の支持を必要とするだけでなく、リクライニング中に必要な支持量が高率で変化する。具体的に言うと、軽量／小柄の人は、リクライニングを開始する際に必要な初期支持レベルが低く、リクライニングを継続していく際に必要な支持レベルの増加はわずかであるのに対して、重量／大柄の人は、リクライニングを開始する時に必要な最小の初期支持レベルが相当に高く、リクライニングを継続していく時に支持レベルのかなりの増加を必要とする。言い換えると、初期リクライニング中の背中の初期支持レベルを容易に調節することができると共に、リクライニング中の支持レベルの増加率も自動的に調節する椅子を提供することが望ましい。さらに、（１）腰掛けたままで、（２）比較的力の弱い人が、（３）操作が容易な調節制御部を使用して、（４）制御部に「オーバートルク」を加えやすい比較的力の強い人でも簡単に破損しない制御部で実施できるそのような容易な調節を可能にする機構を提供することが望ましい。さらに、最適な外観を与えると共に、材料コストおよび部品寸法を最小に抑えるために、小型のスプリング構造が望ましい。
【０００５】
製造者は、長時間腰掛けている作業者の背中下部の不快感および苦痛を防止するためには充分な腰部支持が非常に重要であることをますます意識するようになっている。問題は、作業者の背骨の形状および体型に著しい違いがあるため、すべての作業者を同一形状で満足させることが不可能である点にある。さらに、腰部領域の硬さまたは支持力の所望レベルが個々の人で異なり、腰掛けているユーザが異なった仕事をする時や、椅子をリクライニングした時や、疲れた時、またはそのいずれかでも変化するであろう。実際に、静止状態の腰部支持は望ましくない。代わりに、作業日中に様々な腰部形状および支持レベルを与えることが望ましい。したがって、腰部支持の形状および力を変化させるように構成された調節式腰部システムが望ましい。同時に、調節式腰部システムは、操作が簡単で容易であり、腰掛けていながら容易に手が届き、機械的に複雑でなく、低コストで、美的／視覚的に優れていなければならない。好ましくは、腰部領域の形および力の両方またはいずれか一方の調節によって椅子の織物にしわが寄ったり、織物に望ましくないたるみ／ゆがみ部分が生じることがないようにしなければならない。
【０００６】
最近の顧客および椅子の購買者は、様々な椅子のオプションおよび機能を要求し、多数のオプションおよび機能が椅子の座部に組み込まれることが多い。しかし、腰掛けているユーザの体重が椅子の座部で充分に支持されるが、同時に、腰掛けているユーザの臀部および大腿部の形状および寸法の大きな違いを充分に考慮できるようにして腰掛けているユーザの大腿部領域を快適に調節可能に支持できるようにする座部の改良が望まれる。また、部品数を最小限に抑え、製造および組み立て効率を最大にし、調節の容易性および調節制御位置の局部化を最大にしながら、視覚的に優れたデザインが得られるようにして、そのようなオプションおよび機能を椅子構造に組み込むことが重要である。
【０００７】
さらに具体的に説明すると、座部および背もたれが同期角移動で回動する同期傾動椅子では、多くの傾動椅子がユーザのリクライニング時に座部を後方に回動させるように構成されている。しかし、これらの従来の座部構造体は、座部の前縁部の後方に位置する座部ピボット軸線回りに回動することが多い。その結果、リクライニング時に腰掛けているユーザの膝が持ち上げられるため、腰掛けているユーザの大腿部に望ましくない圧力が加わる。座部に可撓性前リップを組み込んでも、大腿部が座部の前リップだけで支持されるのではなく、座部の少なくとも約半分に沿って支持されるため、望ましくない大腿部の圧力が完全には解決されない。たわみゾーンを座部のかなり後方に、たとえば腰掛けているユーザの股関節の後方に配置しても、椅子の背もたれがリクライニングした時、腰掛けているユーザの上半身の体重によって腰掛けているユーザは椅子の背もたれから前下方への滑り／摺動を生じやすい。 このため、腰掛けているユーザのそのような前方滑り／摺動を防止して支持するような形状および向きの後部領域が座部に設けられていなければ、腰掛けているユーザは座部から前方に滑り落ちる。様々な腰掛けているユーザの股関節が必ずしも椅子座部上の同一相対位置にないため、あるユーザが腰掛けるには好適な座部構造も、別のユーザが腰掛けるにはそうでないため、問題は複雑である。
【０００８】
リクライニング式椅子は椅子業界で幅広く熱狂的な支持を受けている。リクライニング式椅子は、背もたれピボットによってベースまたは制御部ハウジングの両側に回動可能に取り付けられて、背もたれ傾動軸線を定める背もたれフレームを含む。問題は、背もたれピボットが背もたれ傾動軸線と必ずしも完全には整合しない点にある。この不整合は、背もたれピボットが背もたれ傾動軸線に対してある角度で傾斜していることか、背もたれピボットが背もたれ傾動軸線に平行でありながら不整合位置にあることか、人が椅子に腰掛けるか、椅子をリクライニングした時に背もたれピボットの向きが変化することに起因するであろう。最終的な結果として、背もたれのリクライニング中に、少なくとも１つの椅子構成部材がたわんで機械的に曲がることによって、焼き付きを防止しなければならない。一般的に、制御部ハウジングまたは背もたれフレーム構造体のいずれか一方が変形するか、不整合を補償できるように軸受けを緩くする(sloppy)か、その両方が行われる。変形が相当に大きい場合、または椅子構成部材がそのようなたわみに対応して設計されていない場合、時間の経過に伴って繰り返し疲労破壊のために椅子構成部材の１つが破壊、故障または破断される可能性がある。別の問題として、不整合によって発生する高力のために背もたれピボットの軸受けが急速に摩耗しうる。その結果、背もたれに緩みが生じ、これは状況によっては支障を生じうる。座部が座部傾動軸線に正確には整合していない座部ピボットを間隔を置いて有する同期傾動椅子でも同様な問題が発生するであろう。座部ピボットは腰掛けているユーザの体重の大部分を支持する必要もあり、これによってその応力レベルが増加することに注意されたい。
【０００９】
椅子の既知の背もたれピボットに関する別の問題として、ピボットピン／軸をはめ込むために穴を整合させる必要があり、またピボットピン／軸を充分であるが過剰にならないように締め付けて固定しなければならないため、それらは高コストであると共に、組み立てが面倒であること、組み立ての手間数が多いことの両方またはいずれか一方を伴う。具体的に言うと、固定の際に、ピボットピン／軸にトルクを掛け過ぎると、アセンブリが焼き付き、またトルク不足であると、アセンブリが不都合に緩くなって分離しやすい。
【００１０】
以上の要件に加えて、背もたれピボットおよび座部ピボットは椅子の非常に目につきやすい場所に配置されることが多いため、満足できる外観を与えるためにそれらを椅子構造体に組み込まなければならない。
【００１１】
したがって、上記問題を解決する椅子構造体が望まれる。
【００１２】
（発明の概要）
本発明の１つの態様では、椅子は、対向する側部フランジおよび側部ピボットを有する制御ハウジングを備えたベースアセンブリと、直立およびリクライニング位置間を移動するようにベースアセンブリに回動可能に取り付けられた背もたれと、ベースアセンブリ上に作動可能に支持され、背もたれと調和した同期移動を行うように背もたれに連結された座部とを含む。背もたれを直立位置の方に押しつけるためのエネルギ機構が設けられている。エネルギ機構は、制御ハウジング内に横方向に配置されて一端部が側部フランジの一方に支持された伸縮スプリングを含み、さらに、側部ピボットに回動可能に取り付けられて、スプリングの自由端部に係合するスプリング係合部分および座部に作動連結された座部付勢部分を有するレバーを含む。側部ピボット、スプリング係合部分および座部付勢部分は互いに間隔を置いて配置されて、スプリングがほぼ側部ピボットに位置する支点回りにレバーを押しつけることによって背もたれが直立位置の方に押しつけられるように構成されている。
【００１３】
本発明の別の態様では、椅子は、ピボット部材を含む制御部ハウジングと、直立およびリクライニング位置間を移動するように制御部ハウジングに作動連結されたリクライニング式背もたれと、制御部ハウジング内のエネルギ源とを備えている。椅子にはまた、ピボット部材が調節可能であり、レバーがエネルギ源およびピボット部材に係合して、背もたれを直立位置に押し付けるように背もたれに作動連結されている椅子用の改良型調節式背もたれ張力コントローラが設けられている。レバーおよびピボット部材は滑り止め接合表面を有し、その少なくとも一方が曲線形であることによって、背もたれのリクライニング中にレバーを回転させた時、接合面が係合して支点を定め、さらに、ピボット部材を調節した時に支点の位置が変化してエネルギ源が作動するモーメントの腕を変化させることができる。
【００１４】
本発明のさらに別の態様では、椅子は、ベースアセンブリと、第１および第２位置間を移動するようにベースアセンブリに回動可能に取り付けられたリクライニング式背もたれおよび可動式座部の一方を有する部材と、一端部がベースアセンブリに支持され、他端部が部材に作動連結されたスプリングとを含む。スプリングは長さを有し、部材が第１位置から第２位置に移動するとき、長さに沿って長手方向に圧縮されると共に、同時に長さに直交する方向において側方に曲がる。
【００１５】
本発明のさらに別の態様では、椅子は、制御部ハウジングを含むベースアセンブリと、制御部ハウジング上に摺動可能に支持された座部と、直立およびリクライニング位置間を移動するようにベースアセンブリに回動可能に連結されていると共に、座部に作動可能に取り付けられて、座部の摺動移動に同期して回動移動するようにした背もたれフレームと、長さを有するスプリング、およびコイルスプリングの端部に係合した第１脚部およびスプリングの長さにほぼ平行に延在する第２脚部を有するＬ字形トルク部材を含むエネルギ機構とを備えている。第１脚部がスプリングの端部から離れた位置で制御部ハウジングに回動可能に係合している。第２脚部が座部および背もたれフレームの一方に作動連結されていることによって、スプリングがトルク部材を押しつけると、背もたれフレームが直立位置の方に押しつけられる。
【００１６】
本発明のさらに別の態様では、椅子は、制御部ハウジングを含むベースアセンブリと、制御部ハウジング上に摺動可能に支持された座部と、直立およびリクライニング位置間を移動するようにベースフレームに回動可能に連結されていると共に、座部に作動可能に取り付けられて、座部の摺動移動に同期して回動移動するようにした背もたれアセンブリとを含む。制御部ハウジングは、座部の下側の比較的薄く水平方向に延在するコンパートメントを形成している。調節式エネルギ機構がコンパートメント内に作動可能に配置されている。調節式エネルギ機構は、伸縮エネルギ源と、エネルギ源および座部間に作動連結されたレバーと、レバーを調節可能に回動するように支持して、エネルギ源からレバーを介して座部に伝達される力を調節可能に制御する調節部材とを含む。エネルギ源、レバーおよび調節部材は、比較的薄く水平方向に延在するコンパートメント内で作動するように水平方向だけに移動可能である。
【００１７】
本発明のさらに別の態様では、椅子制御部は、制御部ハウジングと、複数の位置間を移動するように制御部ハウジングに作動可能に取り付けられた部材と、部材に作動連結されて部材の移動を制御する制御部ハウジング上のアクチュエータと、アクチュエータを作動させる手動操作式ハンドルと、ハンドルをアクチュエータに連結するオーバートルク装置とを含む。オーバートルク装置は、ハンドルからアクチュエータに伝達される力を、椅子制御部の破損を防止することができる最大量に制限するように構成されている。
【００１８】
１つの態様では、本発明は、対向側部アームを含むベースアセンブリと、背もたれ傾動軸線回りに回転するように背もたれピボットで側部アームに回動可能に取り付けられた特殊形状端部分(configured end)を有する背もたれフレームと、座部傾動軸線回りに回転するように座部ピボットで特殊形状端部分に回動可能に取り付けられた座部とを有する椅子を含む。背もたれピボットおよび座部ピボットの少なくとも一方が、回転可能な軸受け部材と、少なくとも一方の軸線に対応した傾動軸線に対して不整合状態の回転移動を行うように軸受け部材をたわみ可能に支持する支持部材とを含むことによって、スタッドが背もたれ傾動軸線および座部傾動軸線の対応のものに対して不整合状態にある時でも、軸受け部材は焼き付きを伴わないでスタッド回りに回転する。狭い態様では、支持部材は弾性ゴムで形成されている。
【００１９】
本発明の別の態様では、椅子は、側部アームを含むベースアセンブリと、背もたれ傾動軸線回りに回転するように背もたれピボットで側部アームに回動可能に取り付けられた特殊形状端部分を有する背もたれフレームとを有する。背もたれフレームは、組み立て時に特殊形状端部をたわませて開くことができる充分な可撓性を有する。特殊形状端部分および側部アームは隣接面を有し、その一方にリセスが設けられている。各背もたれピボットに軸受け装置が配置されて、側部アームをそれぞれの特殊形状端部分に回動可能に連結している。軸受け装置は、リセス内に延出したスタッドと、スタッドに回転可能に係合する軸受けとを含み、軸受けはリセスから取り外し可能であるが、１つには隣接面が近接していることによってその内部に保持されている。
【００２０】
別の態様では、本発明は、椅子を組み立てる方法であって、側方に延出して向き合った突出部を有する椅子部材を準備する段階と、リセスを設けた特殊形状端部分を有する背もたれフレームを準備する段階とを有する方法を含む。本方法はさらに、背もたれフレームの特殊形状端部分をたわませて開き、同時に特殊形状端部分のリセスを突出部にはめる段階と、背もたれフレームを解放して、背もたれフレームが弾性的に元の形状に戻り、それによって背もたれフレームを所定位置に保持すると共に、背もたれフレームを椅子部材に回動可能に連結する段階とを含む。
【００２１】
本発明のさらに別の態様では、制御部は、制御部ハウジングと、制御部ハウジング内に配置されて圧縮力を与える単一の蓄積エネルギ源と、直立およびリクライニング位置間を移動するようにこの単一のエネルギ源に作動可能に相互連結されたレバーとを含む。単一の蓄積エネルギ源は、レバーを直立位置の方に押しつけるプレテンションを加えると共に、リクライニング時にレバーの傾動に対する抵抗を与える。制御部はさらに、蓄積エネルギ源のプレテンションおよびレバーの傾動率を調整するコントローラを含み、コントローラは、作業者が単一蓄積エネルギ源の圧縮力に打ち勝たなくても調節を行うことができるように構成されている。
【００２２】
本発明のさらに別の態様では、椅子は、圧縮力を与える単一の蓄積エネルギ源を内部に配置した制御部ハウジングを含むベースアセンブリと、直立およびリクライニング位置間を移動するようにこの単一のエネルギ源に作動可能に相互連結された背中支持部とを備えている。単一の蓄積エネルギ源は、背中支持部を直立位置の方に押しつけるプレテンションを加えると共に、リクライニング時に背中支持部の傾動に対する抵抗を与える。制御部はさらに、蓄積エネルギ源のプレテンションおよび背中支持部の傾動率を調整するコントローラを含み、コントローラは、単一蓄積エネルギ源の圧縮力に打ち勝たなくても調節することができる調節可能な支点を定めるレバーを含む。
【００２３】
本発明のさらに別の態様では、制御部は、制御部ハウジングと、制御部ハウジング内に配置された蓄積エネルギ源と、直立およびリクライニング位置間を移動するようにこのエネルギ源に作動可能に相互連結された背中支持第１レバーとを含む。蓄積エネルギ源は、第１レバーを直立位置の方に押しつけるプレテンションを加えると共に、リクライニング時に第１レバーの傾動に対する抵抗を与える。制御部はさらに、第１レバーの蓄積エネルギ源のプレテンションを調整するコントローラを含む。コントローラは、制御部ハウジング内にクランクレバーを含む。クランクレバーは、一端部が蓄積エネルギ源に係合し、他端部が第１レバーに作動可能に相互連結されている。クランクレバーは、２つの端部間に支点を定める部分を有して、エネルギ源がクランクレバーを支点回りに押しつけることによって、第１レバーが直立位置に押し付けられる。
【００２４】
本発明のさらに別の態様では、制御部は、制御部ハウジングと、制御部ハウジング内に配置された蓄積エネルギ源と、直立およびリクライニング位置間を移動するようにこのエネルギ源に作動可能に相互連結された第１レバーとを含む。蓄積エネルギ源は、第１レバーを直立位置の方に押しつけるプレテンションを加えると共に、リクライニング時に第１レバーの傾動に対する抵抗を与える。制御部はさらに、蓄積エネルギ源のプレテンションを調整する調節式コントローラを含む。コントローラは、蓄積エネルギ源のプレテンションを調整する手動操作式ハンドルと、ハンドルからコントローラに伝達される物理的力を制限するよう構成されたオーバートルク装置とを含む。
【００２５】
本発明の上記および他の特徴および利点は、以下の説明、請求の範囲および添付図面を参照すれば当該技術分野の専門家にはさらに明らかになり、理解されるであろう。
【００２６】
（好適な実施形態の詳細な説明）
ここでは説明のため、「上」、「下」、「右」、「左」、「後」、「前」、「垂直方向」、「水平方向」およびそれらの派生語は、人が椅子に腰掛けて図１の向きにある本発明に関するものとする。しかし、本発明は、そうでないことが特記されている場合を除いて、様々な別の向きをとることができることを理解されたい。また、添付図面に示されて以下の明細書に記載されている特定の装置および方法は単に添付の特許請求の範囲に定義されている発明の概念の実施形態例にすぎないことも理解されたい。したがって、ここに開示されている実施形態に関する特定の寸法および他の物理的特徴は、制限的であると特許請求の範囲に明言されている場合を除いて、必ずしも制限的ではないと見なすべきである。
【００２７】
本発明を具現する椅子構造体２０（図１および図２）は、キャスター付きベースアセンブリ２１と、固定の背もたれ傾動軸線２３回りに直立位置およびリクライニング位置間を移動するようにベース２１に回動可能に取り付けられたリクライニング式背もたれアセンブリ２２とを備えている。座部アセンブリ２４（図６）がその後部で座部傾動軸線２５回りに移動するように背もたれ２２に回動可能に取り付けられている。座部傾動軸線２５は背もたれ傾動軸線２３から後下方にずれており、座部２４がその前部で線形軸受け(linear bearing)によってベース２１上に摺動可能に支持されているため、背もたれ２２がリクライニングする時に同期傾斜移動して、座部２４が前方に摺動し、その後部が前下方に回転する（図６を参照）。同期移動は最初、背もたれ対座部を約２．５：１の角同期比(angular synchronous ratio)で移動させ、完全リクライニング位置に近づいた時、背もたれ対座部を約５：１の角同期比で移動させる。リクライニング中の座部２４および背もたれ２２の移動によって、腰掛けているユーザに非常にしっかりと安定した感じを与える極めて快適な座り心地が得られる。これは、１つには移動が腰掛けているユーザの重心を比較的一定に保ち、腰掛けているユーザを椅子ベースの上方で比較的釣り合いの取れた位置に保持することによる。また、前方摺動／同期移動はリクライニング中に、腰掛けているユーザを従来の同期傾動椅子構造体の場合よりも作業に近い位置に保持するため、リクライニング後にたびたび前方に滑走させ、直立位置に移動する時に後方に滑走させるという問題が、皆無と言わないまでも大幅に減少する。別の利点として、椅子構造体２０を椅子の背後の壁に近い位置や、狭いオフィスで使用しても、リクライニング中にオフィスの家具類にぶつかることによる問題が少なくなる。またさらに、本発明の椅子での腰掛けているユーザの体重の後方移動が小さくなるため、背もたれ２２を直立位置の方に押しつけるスプリング２８の寸法を小さくすることが潜在的に可能であることが見出された。
【００２８】
ベースは制御部ハウジング２６を備えている。座部２４を後方に押しつけるために、主エネルギ機構２７（図８）が制御部ハウジング２６内に作動可能に配置されている。背もたれ２２および座部２４が相互連結されているため、座部２４を後方に押しつけると、背もたれ２２が直立位置の方に押しつけられる。主エネルギ機構２７（図８）は、制御部ハウジング２６内に横方向に配置されてトルク部材またはレバー５４に作動係合した主スプリング２８を含む。主スプリング２８によって与えられる張力およびトルクは、やはり実質的に制御部ハウジング２６内に配置された調節式モーメント腕シフト（ＭＡＳ）システム２９によって調節可能である。目隠しカバー２６’（図１）が制御部ハウジング２６と座部２４の下側との間の部分を覆っている。背もたれアセンブリ２２は、ピボット／軸線２３および２５を定める構造を有する背中支持部すなわち背もたれフレーム３０（図４Ａ）を含む。たわみ／服従(compliant)背もたれシェル構造体３１が、非常に快適でなじむ(sympathetic)背中支持を与えるようにして背もたれフレーム３０に上部連結部３２および底部連結部３３で回動可能に取り付けられている。良好な腰部圧迫を与えるように最適化した前方凸状曲線形になるように背もたれシェル３１を前方に押しつけるために、ねじり調節可能な腰部支持スプリング機構３４が設けられている。垂直方向調節式腰部支持部３５（図１６）が垂直方向移動可能に背もたれシェル３１に作動可能に取り付けられて、背もたれ２２上の前支持表面に最適形状および圧力位置を与える。座部２４には、座部２４に調節可能に係合して背もたれ２２のリクライニングを制限する背もたれ停止機構３６（図８）などの高等椅子機能を与える様々なオプションが設けられている。また、座部２４は能動的(active)および受動的(passive)大腿部支持オプション（図２４および図３０をそれぞれ参照）や、座部深さ調節部（図２８および図２５を参照）や以下に記載するような他の座部オプションを含むことができる。
【００２９】
ベースアセンブリ
ベースアセンブリ２１（図１）は、中央ハブ４０およびこの中央ハブ４０にスパイダー状に取り付けられて半径方向に延出したキャスター付き脚部４１を有する接地支持部３９を備えている。中央ハブ４０内に入れ子式伸縮中央ポスト４２が配置されており、椅子の高さを上昇させるためポスト４２を入れ子式に伸長させることができるガススプリングを含む。ベースアセンブリ２１の制御部ハウジング２６はなべ形（図１１）であり、上方に開口した構造部材を形成する底パネルおよびフランジ付き側壁を備えている。ＭＡＳシステム２９用の調節式制御部の一部を受け取るために、ノッチ４３がハウジング２６の一方の側壁に形成されている。ハウジング２６の前部が、横方向構造管４５（図８Ａ）を収容する上向きのＵ字形横フランジ４４になっており、フランジ４４にほぼ隣接して穴４６（図１１）が形成されている。横方向管４５はフランジ４４に溶接されて、ほぼ水平方向に延在している。補強チャネル４７が横方向構造管４５のすぐ前方の位置でハウジング２６内に溶接されている。円錐台形の管部材４８が穴４６の上方で補強部材４７に垂直方向に溶接されており、この管部材４８は伸縮式中央ポスト４２の上端部にはめ合わされてしっかりと係合する形状を有する。１対の硬い上方に延出した側部アーム４９（「ストラット」または「ポッド」と呼ばれることもある）が横方向管４５の両端部に溶接されている。各側部アーム４９は内表面に硬質プレート５０を有する。プレート５０は、背もたれ傾動軸線２３を定めるように並んだ溶接ナット５１を有する。ハウジング２６、横方向管４５および側部アーム４９によって剛直で堅牢なベースフレームが形成される。ハウジング２６の側壁を補強するために、ハウジング２６の側壁の上縁部に沿ってリップまたはフランジが設けられている。キャップ５２がリップに取り付けられて、座部の前部を摺動可能に支持するための線形軸受けの固定部分を形成している。
【００３０】
主エネルギ機構および作動
図９〜図９Ｃおよび図１０に示されているハウジング２６は、図８、図８Ａおよび図１１のハウジングよりわずかに長く、比率が異なっているが、作動原理は同一であることに留意する。主エネルギ機構２７（図８）がハウジング２６内に配置されている。主エネルギ機構２７はスプリング２８を含み、このスプリングはＬ字形トルク部材またはベルクランク５４、リンク５５および座部取り付けブラケット５６によって座部２４に作動連結されている。スプリング２８は、ハウジング２６内に横方向に配置されたコイルスプリングであり、一端部がディスク形アンカー５７でハウジング２６の側部に当接状態で支持されている。アンカー５７は、騒音を防止するためにスプリング２８の端部を支持するワッシャを含み、さらにスプリング２８の端部の中心にはめ込まれてスプリング２８を確実に把持するが、トルク部材またはベルクランク５４が回動する間、スプリング２８を圧縮して側部の方に傾動／屈曲させることができる突出部分を含む。Ｌ字形トルク部材またはベルクランク５４は、短尺脚部またはレバー５８と長尺脚部５９とを含む。短尺脚部５８は、アンカー５７と同様なワッシャおよび突出部分を備えてハウジング２６のほぼ左側部付近のスプリング２８の端部に係合する自由端部を有する。短尺脚部５８は弓形であり、ハウジング２６の隣接側壁に面する外表面に一連の歯６０が設けられている。鋼ストリップ６１が短尺脚部５８の上下側に取り付けられており、後述するように脚部５８の滑らかな転がり軸受け表面となる外側弓形表面を有する。ストリップ６１の弓形表面は一般的に、歯車の歯６０の頂部またはピッチ円直径付近に位置している。短尺脚部５８はスプリング２８の長尺方向にほぼ直交する方向に延在しており、長尺脚部５９はスプリング２８から間隔をおいてその長さ方向にほぼ平行に延在している。リンク５５（図８）が長尺脚部５９の端部に回動可能に取り付けられていると共に、座部取り付けブラケット５６にも回動可能に取り付けられている。
【００３１】
三日月形ピボット部材６３（図１１）が、短尺脚部５８の鋼ストリップ６１の湾曲表面に転がり係合して移動支点を定める弓形転がり軸受け表面を備えている。ピボット部材６３はまた、短尺脚部５８上の歯６０と噛み合って脚部５８およびピボット部材６３の接合した転がり軸受け表面間の滑りを防止するように構成された歯ラック６４を備えている。ピボット部材６３はノッチ４３でハウジング２６の側部に取り付けられている。座部２４が後方位置にある（すなわち、背もたれが直立位置にある）（図９）時、長尺脚部５９はスプリング２８に近接してそれにほぼ平行な位置にあり、短尺脚部５８はスプリング２８の圧縮量が比較的小さくなるようにして回動している。この位置にある時、スプリング２８の圧縮は座部２４を後方に適当に押しつけ、したがって背もたれフレーム３０を直立位置に押しつけるには充分であって、腰掛けているユーザに最適で快適な支持を与えることができる。腰掛けているユーザがリクライニングする時、座部２４は前方に移動する（図９Ａ）。これによってＬ字形トルク部材またはベルクランク５４はスプリング２８を圧縮するように支点でピボット部材６３上を回転する。その結果、スプリング２８はリクライニングに対する増大抵抗力を与え、この増大力はリクライニング時に人を充分に支持するのに必要である。注目すべき点として、リクライニング中、短尺脚部５８が三日月形ピボット部材６３に沿って短距離を「歩く」ため、リクライニング中に実際のピボット位置がわずかに変化する。短尺脚部５８およびピボット部材６３が緩やかな(generous)曲線形状であることによって、リクライニング中の背中に対する支持力の急激な変化が防止されるが、これらの２つの構成部材の曲線形状が２通りにスプリングの圧縮に影響を与えることに注意されたい。ピボット部材６３上を短尺脚部５８が「歩く」ことは、実際のピボット点（すなわち、歯６０および６４がある特定時点で実際に係合する場所）までのモーメントの腕の長さに影響を与える。また、「歩き」が発生すると、「歩き」はスプリング２８を長手方向に圧縮することができる。しかし、好適な形式では、調節を容易に実施できることが望まれることから、ピボット部材６３の調節中にスプリング２８が大幅に圧縮されないようにシステムが設計されている。調節によってスプリング２８が圧縮されると、調節を行うために過大な努力が必要になってしまい、この椅子構造では好ましくない。
【００３２】
後述するように、ピボット部材６３を調節して、スプリング２８が作用するトルクの腕を変化させることができる。図９Ｂは、座部２４が後方位置にある（背もたれフレーム３０が直立位置にある）状態で高トルク位置に調節された主エネルギ機構２７を示している。図９Ｃは、やはり高トルク位置に調節されているが、座部２４が前方位置に（背もたれフレーム３０が直立位置に）あって圧縮された状態にある主エネルギ機構２７を示している。注目すべき点として、図９Ｂおよび図９Ｃでは、スプリング２８が作用するレバー５８上のトルクの腕が長くなるようにピボット部材６３が調節されている。
【００３３】
図９Ｄは、スプリング２８が発生する背もたれトルクをリクライニング角度の関数として示すグラフである。グラフから明らかなように、（後述する）調節によって初期支持力を変化させることができる。さらに、初期ねじり力を大きい力に調節すると、低い初期ばね力では平坦な傾斜になるが、高い初期ばね力では急な傾斜になるように、ねじり力の変化率（すなわち、傾斜）が自動的に変化する。軽量／小柄の人は椅子の直立位置で少ない支持力を必要とするだけでなく、リクライニング中も小さい支持力を必要とするだけであるので、このことは好都合である。反対に、重量／大柄の人は直立およびリクライニング位置にある時に大きい支持力を必要とする。注目すべき点として、短尺脚部５８およびピボット部材６３の形状を変化させることによって、高低トルク力／変位曲線の所望傾斜を椅子に組み込むことができる。
【００３４】
三日月形ピボット部材６３（図１１）はブラケット６５によってハウジング２６上に回動可能に支持されている。ブラケット６５は、管部分６６と特殊形状端部６７とを含み、その間の接合部分がハウジング２６の側部のノッチ４３にはめ合わされるように構成されている。特殊形状端部６７は１対のフランジ６８を含み、ピボット部材６３の回転軸線６９を定める開口が設けられている。ピボット部材６３はピボットピンによってフランジ６８に回動可能に取り付けられて、軸線６９回りに回転可能である。ピボット部材６３を回転させることによって、歯６０および６４の噛み合いおよび関連の接合表面が変化して、実際のピボット点がＬ字形トルク部材またはベルクランク５４の短尺脚部５８に沿って変化する。（図９および図９Ｂを比較されたい。）その結果、スプリング２８の端部から実際のピボット点までの距離が変化する。それによってスプリング２８が作用するトルクの腕が短くなる（または長くなる）結果、力／変位曲線に実質的な変化が生じる（図９Ｄの上下の曲線を比較されたい）。ピボット部材６３上の接合表面はその回転軸線回りに一定半径を有するので、調節中にスプリング２８がそれほど圧縮されないため、モーメントの腕の変化は比較的容易に行われる。このため、スプリング２８の強度で調節が悪影響を受けることはない。しかしながら、調節は、スプリング２８が作用するモーメントの腕の長さを変化させるため、ばね曲線に大きく影響する。
【００３５】
ピボット部材６３の回動は、軸線６９から離れた位置にあるピボット部材６３上の１対の開口付きフランジ７０（図１１）を使用して行われる。調節ロッド７１が管部分６６を貫通して特殊形状端部６７に入り、開口付きフランジ７０に回動可能に取り付けられている。ロッド７１はねじ付きの他端部７２を有する。細長いナット７３がロッド端部７２にねじ付けられている。ナット７３は、管部分６６の端部に回転可能に係合するワッシャ７３’を備えていると共に、駆動リング７６上の対応リブ７５と組み合わされて入れ子式に係合することができる形状の長手方向リブまたはスロットを有する特殊形状端部７４を備えている。ハンドル７７が管部分６６に回転可能に取り付けられて、オーバートルククラッチリング７８によって駆動リング７６に作動連結されている。クラッチリング７８は、駆動リング７６のリング状の摩擦歯８０のリングに作動可能に係合する弾性フィンガ７９を備えている。フィンガ７９は、所定のねじり負荷によって歯８０の上で摩擦スリップを生じて椅子２０の部材の破損を防止するように形成されている。リテーナ８１に弾性脚部８１’が設けられ、これを所定量の力でナット７３の端部７４にスナップ式にはめ込むことによって、駆動リング７６およびクラッチリング７８を合体保持することができる。スペーサ／ワッシャ８２がナット７３の端部に載置されて、クラッチリング７８を回転可能に良好に支持する軸受け表面を形成している。端部キャップ８３がアセンブリの端部を見えないように覆っている。端部キャップ８３に中央突起８４が設けられ、これをリテーナ８１にスナップ式にはめ込むことによって、リテーナ８１の弾性脚部をナット７３の端部に係合した状態に強制的に保持することができる。
【００３６】
使用する際は、管部分６６上のハンドル７７を回転させ、これがクラッチリング７８および駆動リング７６によってナット７３を回転させることによって（ナット７３の回転に必要な力が大き過ぎて、構成部材の破損を防止するためにクラッチリング７８が駆動リング７６上をスリップする場合を除いて）調節が行われる。ナット７３が回転すると、ロッド７１がハウジング２６から外へ引き出される（または内側へ押し込まれる）ことによって、ピボット部材６３が回転する。ピボット部材６３の回動によってピボット部材６３およびＬ字形トルク部材またはベルクランク５４の短尺脚部５８の係合点（すなわち、支点）が変化し、このためスプリング２８が作用するモーメントの腕が変化する。
【００３７】
背もたれ停止機構
背もたれ停止機構３６（図８）は、ハウジング２６に位置８７で回動可能に取り付けられたカム８６を含む。カム８６は、ストップ表面またはステップ８８と、表面８８に対応したデテント凹部８９と、歯９０とを備えている。ステップ８８は、座部取り付けブラケット５６と噛み合って座部２４の後退移動を制限することによって背もたれフレーム３０の後方回転を制限する形状を有する。これによって、腰掛けているユーザはリクライニング量を所望の最大点に制限することができる。ハウジング２６の第１穴に滑らせて通して第２穴に引っ掛けたＵ字形フィンガ９２を使用して、リーフスプリング９１（図１０）がハウジング２６に取り付けられている。リーフスプリングの他端部に、デテント凹部８９と摺動可能に噛み合う形状のＵ字形ベンド９３が設けられている。凹部８９はステップ８８に対応しているので、特定ステップ８８を選択した時、対応の凹部８９がスプリング９１に係合してカム８６を選択の角位置に保持することができる。注意すべき点として、ステップ８８（および凹部８９）は、背もたれフレーム３０の直立位置に近い椅子位置に対応した領域では互いに接近した角位置に設けられ、さらに大きくリクライニングした椅子位置に対応した領域では大きく離れた角位置に設けられている。このようにすることによって、腰掛けているユーザは直立位置付近にある時に多数の背もたれ停止位置から選択することができる。腰掛けているユーザは、直立位置付近にある時には互いに近接した多数の背もたれ停止位置を求めるようであるが、完全リクライニング椅子位置付近にある背もたれ停止位置を選択することはあまりないことがわかっている。
【００３８】
カム８６は、回動レバー９４、リンク９５および回転ハンドル９６を含む制御部を使用して回転させることができる。回動レバー９４のほぼ中央がハウジング２６に位置９７で回動可能に取り付けられている。回動レバー９４の一端部には、カム８６の歯９０と噛み合う歯９８が設けられている。レバー９４の他端部は位置９７’で剛直なリンク９５に回動可能に取り付けられている。ハンドル９６は、ＭＡＳピボットブラケット６５の管部分６６に回転可能に取り付けられた胴部分１０１を含み、さらに腰掛けているユーザが握りやすくするフリッパ９９を備えている。胴部分から突出部１００が延出して、リンク９５に回動可能に取り付けられている。
【００３９】
背もたれ停止機構３６を調節するには、ハンドル９６を回転させると、リンク９５およびレバー９４の作動を介してカム８６が回転する。カム８６を所望の角位置まで回転させて、選択したステップ８７を座部取り付けブラケット５６に係合させることによって、所定の背もたれ停止点を越えるリクライニングを防止することができる。座部２４は背もたれフレーム３０に取り付けられているので、これが背もたれ２２のリクライニングを制限する。
【００４０】
背もたれ停止カム８６を作動させる変更形制御部が図１１Ａに示されている。変更形制御部は、回動レバー９４Ａと、回転ピボット／スライドジョイント３８０によってハンドル９６Ａに連結された回転ハンドル９６Ａとを含む。レバー９４Ａは、カム８６に係合する歯３８１を有し、ピボット９７でハウジング２６に回動可能に取り付けられており、この両方はレバー９４と同様である。しかし、変更形制御部では、リンク９５が省略されて、代わりに単一のジョイント３８０が用いられている。ジョイント３８０は、レバー９４Ａから延出したボール３８１（図１１Ｂ）を有している。はめ付け「ケージ(car)」または軸受け３８２がボール３８１に回動可能に係合するソケット３８３を備えて玉継手を形成している。軸受け３８２は、ハンドル９６Ａ上の半径方向に延在するアーム３８６のスロット３８５に摺動可能に係合する外表面３８４を有する（図１１Ｃ）。第１軸線回りのハンドル９６Ａの回転と第１軸線に対して傾斜した第２軸線回りのレバー９４Ａの回転とによる複雑な移動にもかかわらず、ジョイント３８０はハンドル９６Ａをレバー９４Ａに作動連結している。好都合なことに、変更形制御部では少ない部品で、また部分的に制御ハウジング２６の内部に入っている部品で作動可能な相互連結が行われるため、部品は椅子の横に立っている人からほとんど見えない。
【００４１】
背もたれ構造
背もたれフレーム３０および背もたれシェル３１（図１２）は、腰掛けているユーザ用に特に背もたれ２２の腰部領域で腰掛けているユーザの背中の動きに特に快適でなじむ服従的な背中支持部を形成している。アセンブリの調節機構によってさらなる快適さが得られ、腰掛けているユーザは直立位置からリクライニング位置全体で自分の特別な必要および好みに合うように椅子をあつらえることができる。
【００４２】
背もたれフレーム３０（図１２Ａ）は曲線形であり、椅子２０の背もたれ領域を横切るアーチを形成している。背もたれフレーム３０には様々な構造が考えられ、したがって本発明を不適当に特定のものだけに限定するべきでない。たとえば、背もたれフレーム３０は全体的に金属、プラスチックまたはそれらの混合にすることができる。また、後述の剛直な内部補強部材１０２は管状、山形鋼または打ち抜き加工品にすることができる。図示の背もたれフレーム３０はループ状またはアーチ形の内部金属補強部材１０２と、密着状の外部高分子スキンまたはカバー１０３とを含む。（説明のため、カバー１０３が透明であるように図示されている（図１２Ａ）ため、補強部材１０２が見やすい。）金属補強部材１０２は、円形断面を有するループ状の中間ロッド部分１０４（その半分だけが図１２Ａに示されている）を含む。補強部材１０２はさらに、中間部分１０４の端部に溶接された特殊形状の端部／ブラケット１０５を含む。１つまたは２つのＴ字形上部ピボットコネクタ１０７が中間部分１０４の上部分付近に取り付けられている。注意すべき点として、単一の上部コネクタ１０７を使用した場合、２つの上部コネクタの場合よりも横方向の可撓性が大きくなり、これはユーザが頻繁に胴部をねじったり、椅子の側部に傾くと予想される場合の椅子に望ましいであろう。１対の上部コネクタ１０７を間隔を置いて配置すると、硬い構造が得られる。各コネクタ１０７（図１２Ｂ）は、中間部分１０４に溶接されたステム１０８を含むと共に、ステム１０８を貫通した横方向ロッド部分１０９を含む。ロッド部分１０９はスキンまたはシェル１０３の外側に位置し、後述するように、背もたれシェル３１の対応のリセスにスナップ式に摩擦および回動係合して水平軸線回りに回転可能である。本発明は異なった背もたれフレーム形状を有することも考えられる。たとえば、背もたれフレーム３０の逆Ｕ字形中間部分１０４の代わりに、ベルトブラケット１３２にほぼ近接してそれに平行な下部横方向部材と、それから上方に延出した垂直部材とを有する逆Ｔ字形中間部分を使用することもできる。好適な形式では、本発明の椅子の各背もたれフレームは、間隔を置いて配置されてピボット点を定める下部コネクタまたは開口１１３と上部コネクタ１０７とを設けて、三角形の三脚状の構造を形成している。この構造を半剛性の弾性たわみ可能な背もたれシェル３１と組み合わせることによって、たわみ可能な姿勢支持を行うと共に、椅子に腰掛けているユーザの胴部のねじり曲げを可能にする。変更例として、下部コネクタ１１３を椅子の背もたれではなく座部に設けることができる。
【００４３】
特殊形状端部１０５は内表面１０５’（図１３）を有し、これは外部シェル１０３で被覆しても、しなくてもよい。図１２Ａおよび図４Ａに示されている背もたれフレーム３０では、補強部材１０２がシェル１０３でほぼ覆われているが、特殊形状端部１０５の内表面の開口１１１〜１１３の位置にポケットが形成されている。特殊形状端部１０５は、それぞれ背もたれ傾動軸線２３、座部傾動軸線２５および背もたれシェル３１用の底部ピボット連結部を定める開口１１１〜１１３を形成する押し出しフランジを有する。開口１１１および１１２（図１３）は、それぞれ多部材形軸受け１１４および１１５を収容するポケットを形成する円錐台形のフランジ１１６を有する。軸受け１１４は、フランジ１１６に係合する外側ゴムブッシュ１１７と、内側潤滑性軸受け部材１１８とを含む。ピボットスタッド１１９が、第１軸受け部材１１８とはめ合い滑り係合する第２潤滑性軸受け部材１２０を含む。スタッド１１９は外向きに軸受け１１４を貫通して、ベースフレーム２６、４５および４９の側部アーム４９上の溶接ナット５１にねじ込まれている。軸受け部材１１８はナット５１に突き当たってスタッド１１９の締め付け過ぎを防止している。スタッド１１９の頭部を開口１１１にはまって摺動する形状にして、スタッドを側部アーム４９の内側からナット５１にねじ込むことができるようにして組み立てを容易にしている。所望ならば、スタッド１１９の頭部を拡大して特殊形状端部１０５を側部アーム４９に積極的に捕らえる(positively capture)ことができることに注意されたい。ゴムブッシュ１１７を含む本構造によって、ピボット２３がたわんで、軸線２３と完全には整合していない回転を補償することができ、このため、スタッド１１９が軸線からずれている場合に、軸受けに加わる応力を軽減すると共に、背もたれフレーム３０および側部アーム４９などの椅子の構成部材に加わる応力を軽減する。
【００４４】
下部の座部／背もたれフレーム軸受け１１５も、ゴムブッシュ１２１および潤滑性軸受け部材１２２を含む点で軸受け１１４と同様であるが、円錐台表面が内向きである点に注意されたい。溶接スタッド１２３が座部キャリア１２４から延出し、軸受け部材１２２に回転および摺動可能に係合する潤滑性軸受け部材１２５を備えている。図示の構造では、特殊形状端部１０５がベースフレーム２６、４５および４９の側部アーム４９と座部キャリア１２４との間に捕らえられているので、軸受け１１４および１１５を特殊形状端部１０５に積極的に保持する必要がない。しかしながら、スタッド１１９の頭部を拡大し、溶接スタッド１２３の代わりに同様な頭付きスタッドを使用することによって、ピボット１１２に積極的軸受け構造を容易に構成することができるであろう。
【００４５】
背もたれフレーム３０の特殊形状端部の第２形式が図１３Ａに示されている。同様な構成部材は同一の参照番号を付けて示し、変更構成部材は同一番号に「Ａ」を付けて示す。変更形特殊形状端部１０５Ａでは、ピボット１１１Ａおよび１１２Ａの円錐台表面がピボット１１１および１１２と逆の方向を向いている。ピボット１１２Ａ（座部キャリア１２４を背もたれフレーム３０上に回動可能に支持する溶接スタッド１２３Ａを含む）の後端部にねじ付き軸方向穴が設けられている。留めねじ３００をねじ穴にはめ込むことによって、ピボットアセンブリを積極的に合体保持することができる。さらに詳しく説明すると、ねじ３００上のワッシャ３０１が、内側軸受け部材１２２をピボットスタッド１２３Ａ上に取り付ける軸受けスリーブ１２５に係合してそれを積極的に保持する。ポケット内および軸受け外側スリーブ１２１上のテーパによって軸受け１１５Ａが積極的に合体保持される。背もたれフレーム３０をベースフレームの側部アーム５０上に回動可能に保持する上部ピボット１１１Ａは、このピボット１１１Ａが逆の内向きである点を除いて、全体的に下部ピボット１１２と同一である。具体的に説明すると、上部ピボット１１１Ａでは、スタッド１１９Ａが側部アーム５０に溶接されている。軸受けはベースフレーム３０に設けられた軸受けポケット内でスタッド１１９Ａに作動可能に取り付けられて、別のワッシャ付きねじ３００で所定位置に保持される。組み立てるには、背もたれフレーム３０をたわませて開いて軸受け１１５に係合させ、特殊形状端部１０５Ａをねじって弾性的にたわませた後に解放すると、それらは休止位置に跳ね戻る。この構造によって、締結具が不要で確実に容易に実施できる迅速組み立て方法が得られる。
【００４６】
図１２、図１５および図１６に示されている本発明の背もたれシェルシステム（および図１２Ｄ〜図１２Ｉの背もたれシステム）は服従的であり、人の背中に非常になじんで作動するように設計されている。ここで使用する「服従的」とは、本発明の背もたれの腰部領域（図１２および図１２Ｆ〜図１２Ｉを参照）または同等のたわみを与える背もたれ構造体（図１２Ｄおよび図１２Ｅを参照）の可撓性を表し、「なじむ」とは、背もたれが腰掛けているユーザの背中に密接状に調和して移動し、椅子の背もたれ２２のリクライニング時や腰掛けているユーザが背中の下部をたわませた時にユーザの背中の姿勢を支持することを意味する。背もたれシェル３１は、人の背中と同様に３つの個別領域、すなわち胸部領域、腰部領域および骨盤領域を備えている。
【００４７】
人の背中の胸部「肋骨郭(rib cage)」領域は比較的硬い。そのため、腰掛けているユーザの比較的硬い胸部「肋骨郭」領域２５２を支持する比較的硬い上部シェル部分（図１２）が設けられている。それはユーザの胴体の重量を支持する。上部ピボット軸線は平均的なユーザの上半身の重心のすぐ後方に戦略的に配置されて、良好な圧力分布が得られるように背中の重みの釣り合いを保つ。
【００４８】
人の背中の腰部領域２５１は可撓性が高い。このため、背もたれシェル３１のシェル腰部領域は側縁部に２つの湾曲した垂直活ヒンジ(vertical-living hinges）１２６を備え、これらは多数の水平方向「横ストラップ」１２５”で連結されている。これらのストラップ１２５”は幅方向スロット１２５’で分離され、これによってストラップが独立的に移動できるようにしている。応力集中を軽減するために、スロット１２５’に丸みを付けた端部か滴形端部を設けてもよい。このシェル部分は、人の腰部領域の姿勢を快適に(comfortably and posturally)支持するように構成されている。両側部ストラップ１２５’は可撓性を有し、横方向に曲率半径を大幅に変化させることができる。このシェル部分は、ユーザが姿勢を変えるのに合わせて自動的に曲率が変化するが、比較的一定の支持レベルを維持する。これによって、ユーザは作業中に意識的に（または半意識的に）背中を曲げて、応力を疲れた筋肉または背骨部分(spinal disc)から別の部分に一時的に移動させることができる。この頻繁な移動は背骨全体に栄養分を「ポンプ式」に送り、それに栄養を供給して健康状態に保つ。ユーザがシェル３１にもたれかかった時、様々な腰部「横ストラップ」に個々の相対圧力を加える。これによって活ヒンジが独特な方法でたわみ、シェルをユーザの独特の背中の形状に一致させる。これは背中の広い範囲全体で均一な支持を行うことができるようにし、快適さを向上させると共に「高圧点」を減少させる。横ストラップもたわむことによって、ユーザの横方向の形状に良好に合わせることができる。人の背骨の中立軸はうまく背もたれの内部に(inside the back)位置している。したがって、「側部ストラップ」は腰部領域の（背骨中立軸に近い方の）中心部分の前方に位置し、人の背中の曲がりを真似たシェルの曲がりを助ける。
【００４９】
人の骨盤領域２５０は比較的可撓性がない。したがって、シェル３１の最下部分も比較的可撓性がなく、可撓性のない人の骨盤の姿勢に一致するようにして(posturally/mateably)支持する。ユーザが背骨を後方に曲げた時、ユーザの骨盤は股関節回りに自動的に回動し、背中の皮膚が伸びる。下部シェル／背もたれフレームピボット点は人の股関節に近いがそれからわずかに後方に戦略的に配置されている。それが近いことによって、シェル骨盤領域が人の骨盤になじんで回転することができる。しかし、わずかに後方にあることによって、シェルの腰部領域がユーザの背中の皮膚より幾分少なく、良好ななじみたわみが得られるように伸ばされる（スロットが広がる）が、布が伸びたりひだになるほどではない。
【００５０】
具体的に言うと、本背もたれシェル構造体３１（図４Ａ）は、ポリプロピレンなどの高分子材料で形成された弾性的にたわみ可能な成形シートを有し、それに上下クッションが配置されている（図４Ａを参照）。背もたれシェル３１（図１６）は、ほぼ椅子２０の腰部領域に位置する下半分に複数の水平方向スロット１２５’を有する。スロット１２５’は実質的に背もたれシェル３１を横切って延在しているが、側部から間隔を置いた位置で終わっているため、弾性的な垂直材料バンド１２６が各縁部に沿って形成される。材料バンドまたは側部ストラップ１２６は自然に前方に突出した形状をなすように構成されているが、腰掛けているユーザに最適の腰部支持および形状を与えるようにたわむ。バンド１２６によって背もたれシェルは、横方向および垂直方向に形を変えて、ユーザの背中の形状になじむように一致することができる。隆起部分１２７がシェル３１の外周に沿って延在している。間隔を置いた１対のリセス１２８が背もたれシェル３１の後表面のほぼ上方胸部領域に形成されている。各リセス１２８（図１４Ａおよび図１４Ｂ）はＴ字形入口を備えて、リセス１２８の細い部分１２９が背もたれフレーム３０の上部コネクタ３２のステム１０８を受け取る幅を有し、リセス１２８の幅広部分１３０が上部コネクタ３２の横ロッド部分１０９を受け取る形状の幅を有する。各リセス１２８は背もたれシェル３１内で上方に延在しており、ステム１０８が細い部分１２９内へ摺動した時、細い部分１２９に隣接して形成された対向フランジ１３１がＴ字形上部コネクタ１０７のロッド部分１０９を回動可能に捕らえる。リセス１２８の隆起部分１３２が上部コネクタ１０７を摩擦で積極的に保持し、背もたれシェル３１を背もたれフレーム３０に固定するが、背もたれシェル３１が水平軸線回りに回動できるようにする。これによって、背もたれシェル３１は望ましくない制限を受けないで最適腰部支持を行うようにたわむことができる。
【００５１】
ベルトブラケット１３２（図１６）が細長い中央ストリップまたはストラップ１３３を含み、これは背もたれシェル３１の底縁部の形状に一致して背もたれシェル３１の底縁部内に成形されている。ストリップ１３３を背もたれシェルの一体部分にすることもできるが、ねじ、締結具、接着剤、摩擦タブ、インサート成形技術、または当該技術分野で周知の他の取り付け方法で背もたれシェル３１に取り付けることもできる。ストリップ１３３は、ストリップ１３３の端部から前方に延出した側部アーム／フランジ１３４を含み、これに開口１３５が設けられている。ねじり調節腰部機構３４がフランジ１３４に係合して、背もたれシェル３１を背もたれフレームに位置１１３（図４Ａ）で回動可能に取り付ける。ねじり調節腰部スプリング機構３４は調節可能であって、背もたれシェル３１を前方凸状形に押しつけることによって、腰掛けているユーザに最適の腰部支持を行う。ねじり調節腰部スプリング機構３４は背もたれシェル３１の弾性たわみ性および垂直方向調節式腰部支持部３５の形状変更可能性と協働して、腰掛けているユーザの高度に調節可能で快適な背中支持を行う。
【００５２】
ピボット位置１１３は、大腿骨頭の後方で座部２４より幾分上方になるように最適に選択される（図１２を参照）。ピボット位置１１３からストリップ１３３までの前後方向の距離を、腰掛けているユーザの股関節／軸線から下部背骨／尾骨領域までの距離にほぼ等しくして、腰掛けているユーザの背中の下部が股関節回りに曲がる間に移動するのに極めて類似してそれになじみながら下部背もたれ２５０が移動するようにするのが最適である。位置１１３と前方延出側部フランジ１３３の長さとの組み合わせによって、背もたれシェル３１が以下のようになじみながらたわむ。背もたれシェル構造体３１の骨盤部支持領域２５０は、腰掛けているユーザが背中を曲げて背中の下部を背もたれシェル構造体３１に押しつけた時、背骨および身体の動きに一致するように選択された経路に沿って後下方になじみながら移動する。腰部支持領域２５１は同時に前方凹状形からより平坦な形状にたわむ。胸部支持領域２５２は上部コネクタ１０７回りに回転するが、大幅にたわむことはない。骨盤および胸部支持領域２５０および２５２の合計角回転は従来の同期傾動椅子よりも相当に大きく、これによって支持力が相当に増大する。注意すべき点として、背もたれシェル構造体３１は水平面上でもたわんで、腰掛けた状態で胴体をねじって物に触れようとするユーザの良好な姿勢支持を行う。注意すべき点として、背もたれフレーム３０は直立位置の時に垂直線から後方に約５゜の向きにあり、完全リクライニング位置の時には垂直線から後方に約３０゜まで回転する。同時に、座部傾動軸線２５は、背もたれフレーム３０が直立位置にある時、背もたれ傾動軸線２３の後方でその水平位置から約６０゜下方にあり、背もたれフレーム３０が完全リクライニング位置にある時、背もたれ傾動軸線２３のほぼ垂直方向の下方まで回動する。
【００５３】
背もたれ構造体３１Ａ〜３１Ｆ（それぞれ図１２Ｄ〜図１２Ｉ）は、多くの点で背もたれシェル構造体３１に似たなじみやすい背中支持を提供することができるさらなる構造体である。背もたれ構造体３１と同様に、本発明は背もたれ構造体３１Ａ〜３１Ｆを下部連結部で座部またはベースフレームに取り付けることを含むと考えられる。すなわち、図示の構造体３１Ａ〜３１Ｆは、背もたれフレーム３０と組み合わせて使用して、腰掛けているユーザの胸部、腰部および骨盤領域に合わせた特定の支持を与えることができる。背もたれ構造体３１Ａ〜３１Ｆの各々は、上部および下部ピボット連結部１０７および１１３で回動し、それぞれが特定位置のレバーピボット軸線１１３回りにたわむ側部アーム１３４を備えている。しかし、背もたれ構造体３１Ａ〜３１Ｆはわずかに異なったやり方でそれぞれのなじみやすい背中支持を行う。
【００５４】
背もたれ構造体３１Ａ（図１２Ｄ）は、上部ピボット連結部１０７で回動可能に取り付けられたクッション付き上部背中支持部材２５５を含み、さらに側部フランジ１３４を有するベルトブラケット１３２によって下部位置１１３で回動可能に取り付けられたクッション付き下部背中支持部材２５６を含む。上部および下部背中支持部材２５５および２５６は、ピボット／摺動連結部２５７で結合している。ピボット／摺動連結部２５７は、１対のフランジ２５８で形成された下部ポケットと、ポケット内で摺動および回動の両方を行う上部フランジ２５９とを含む。ねじり腰部支持スプリング機構３４が下部ピボット位置１１３に、所望ならば、連結部１０７にも取り付けられて、上部および下部背中支持部材２５５および２５６を前方に押しつける。これらの組み合わせによって、上記の背もたれシェル構造体３１と同様に、選択されたユーザの背中と共に移動して実質的にいずれのユーザの背中の形状にも一致することができるなじみやすい背中支持体が提供される。
【００５５】
背もたれ構造体３１Ｂ（図１２Ｅ）は、上部連結部１０７で回動可能に取り付けられた上部背中支持部材２６１と、下部連結部１１３でベルトブラケットの側部フランジ１３４に回動可能に取り付けられた下部背中支持部材２６２と、その間に作動可能に配置された中間背中支持部材２６２とを含む。中間背中支持部材２６２は、ピボット２６３で下部背中支持部材２６２に回動可能に取り付けられていると共に、ピボット／スライドジョイント２６４で上部背中支持部材２６１に摺動可能で回動可能に取り付けられている。ピボット／スライドジョイント２６４は、ポケットを形成する上部フランジ２６５と、そのポケット内を回動および摺動する端部を有する別のフランジ２６６とで形成されている。背もたれ構造体２６０を前方凹状形に付勢するために、１つまたは複数の連結部１０７、１１３および２６４にスプリングが配置されている。
【００５６】
背もたれ構造体３１Ｃ（図１２Ｆ）は、横方向腰部スリットを設けたシート状たわみシェルを有する点で、背もたれシェル構造体３１と似ている。シェルは上部および下部連結部１０７および１１３で背もたれフレーム３０に回動可能に取り付けられている。背もたれ構造体３１Ｃのシェルは、シェルの腰部領域の曲線リーフスプリング２７１、シェルを背もたれフレーム３０の中間部分から前方に押し離すスプリング２７２、および上部連結部１０７からベルトブラケットの側部フランジ１３４まで延在する垂直スプリング２７３またはそのいずれかによって、下部ピボット１１３および上部ピボット１０７に位置するトーションスプリング機構３４で前方凸状形の方に付勢されている。
【００５７】
背もたれ構造体３１Ｄ（図１２Ｇ）は、背もたれフレーム３０の両側部間にわたして設けられて、背もたれ構造体２７０のスプリング２７２と同様に背もたれシェル２７７の腰部領域を前方に押しつける横方向リーフスプリング２７６を備えている。背もたれ構造体３１Ｅ（図１２Ｈ）は、背もたれシェル２８０内に埋め込まれて、背もたれ構造体２７０のスプリング２７１とほぼ同様に背もたれシェル２８０の腰部領域を前方に押しつける垂直方向リーフスプリング２７９を備えている。注意すべき点として、背もたれ構造体２７８は単一の上部ピボット連結部１０７だけを備えている。背もたれ構造体３１Ｆ（図１２Ｉ）は、背もたれフレーム３０の上部と背もたれシェル２８３の底部のベルトブラケット１３２とに連結された垂直スプリング２８２を備えている。背もたれシェル２８３は前方凸状であるため、スプリング２８２はシェル２８３をさらに凸状が強くなるように付勢するため、追加腰部支持が行われる（背もたれ構造体３１Ｃ（図１２Ｆ）のスプリング２７３と比較されたい）。
【００５８】
ねじり腰部支持スプリング機構３４（図１２Ｉ）を多くの様々な構成で設計することができるが、背もたれフレーム３０および背もたれシェル３１間を作動連結する少なくとも１つのスプリングを有すると考えられる。任意であるが、この構造は、張力の調節を行うためにハンドルおよび摩擦ラッチを有する張力調節装置を備えている。スプリングがベルトブラケット１３２を回転方向前方に付勢することによって、背もたれシェル３１は腰掛けているユーザの腰部支持に適した前方凸状形になる。ハンドルを異なったラッチ位置に回転させることによって、スプリングの張力を調節して最適の前方腰部力を与えることができる。腰掛けているユーザが背もたれシェル３１の腰部領域を押しつけると、背もたれシェル３１はユーザの背骨および肉付きを正確に真似た移動で「なじむように」たわむ。シェル３１の材料バンド１２６の力が自然な曲線形に近づける比較的一定の力を与えるが、ねじり腰部支持スプリング機構３４と組み合わせた場合、ユーザが腰部領域にもたれかかった時にそれらは腰部支持用の高度に調節可能な付勢力を与える。背もたれベルトまたは背もたれシェルたわみゾーンを付勢する固定的で調節できないスプリングを直接的に使用したり、設置時だけ調節可能な調節スプリングを使用することもできることに注意されたい。しかし、本調節式装置は腰掛けているユーザの様々な必要性を満たすための最大限の調節が可能である。このため、ユーザは様々な適切に支持された背中姿勢をとることができる。
【００５９】
本発明のねじり腰部支持スプリング機構３４（図１２Ｉ）では、背もたれフレーム３０から内側に延在してベルトブラケットの側部フランジ１３４の穴２９１を貫通したスタッド２９０によってベルトブラケット１３２が背もたれフレーム３０に回動可能に取り付けられている。ブッシュ２９２がスタッド２９０に係合して滑らかに回転できるようにしており、リテーナ２９３がスタッド２９０を穴２９１内に保持している。ベース２９４が背もたれフレーム３０にねじ２９４’でねじ付けるか、溶接されており、太陽歯車２９６と一端部の突出チップ２９７とを有する突出部２９５を備えている。ハブ２９８が、突出部２９５を収容するスリーブ状ボス３００を備えたプレート２９９を含む。ボス３００は、スパイラルスプリング３０３の内端部３０２を収容するスロット３０１を有する。スプリング３０３の胴部は突出部２９５に巻き付いており、フック状外端部３０４で終端する。ハブ２９８は、プレート２９９からボス３００と反対の方向に延出した１対の軸スタッド３０５を有する。１対の扇形の遊星歯車３０６がピボット穴３０７で軸スタッド３０５に回動可能に取り付けられている。遊星歯車３０６にはピボット穴３０７を中心にして弧状に複数の歯３０８が設けられており、弧の一端部にドライバピン３０９が配置されている。カップ形ハンドル３１０が歯車３０６、ハブ２９８、スプリング３０３およびベース２９４を覆うように形成されている。ハンドル３１０は、ベース２９４の突出チップ２９７に回転可能に係合する中心穴３１２を有する平板状の端部パネル３１１を含む。１対の向き合った渦巻き形リセスまたはチャネル３１３が端部パネル３１１に形成されている。リセス３１３は、内端部３１４と、外端部３１５と、これらの端部３１４および３１５間に形成された複数のデテントまたはスカロップ３１６を有する細長部分とを含む。リセス３１３にドライバピン３０９がはめ込まれる。フック状外端部３０４がベルトブラケット１３２上のフィンガ３１７に係合し、これらのフィンガ３１７は背もたれフレーム３０の特殊形状端部１０５の弓形スロット３１８に挿通されている。
【００６０】
ハンドル３１０を回転させて、ねじり腰部支持スプリング機構３４を作動させることができる。これによってリセス３１３が遊星歯車３０６上のドライバピン３０９に係合する。遊星歯車３０６は太陽歯車２９６と噛み合っているので、ドライバピン３０９が内向き（または外向き）に押しつけられ、遊星歯車３０６がそれぞれのピボット／軸３０５回りの回転を強制されると、遊星歯車３０６は太陽歯車２９６の周囲を回転する。次に、遊星歯車３０６が回転する時、それらはハブ２９８を回転させる。スパイラルスプリング３０３がハブ２９８に連結されているため、スパイラルスプリング３０３がきつく巻き上げられる（または巻き戻される）。このように、ベルトブラケット１３２に加わるスプリング３０３の張力を調節可能に変化させることができる。デテント３１６は、スプリング３０３を所望の緊張状態に保持することができる充分な摩擦抵抗を伴ってドライバピン３０９に係合する。この構造により、スパイラルスプリング３０３の巻き角(angular winding)がハンドル３１０の角回転量より大きくなる。
【００６１】
変更形ねじれ腰部支持スプリング機構３４Ａ（図１２Ｋ）では、ベースブラケット２４４Ａが背もたれフレーム３０の特殊形状端部１０５Ａに取り付けられている。レバー３０６Ａおよびドライバ２９８Ａがベースブラケット２４４Ａに作動可能に取り付けられて、ハンドル３１０Ａの回転時にスパイラルスプリング３０３Ａを巻くことができる。具体的に説明すると、ベースブラケット２４４Ａは、ベルトブラケット１３２の穴２９１に回動可能に係合するピボットピン２９０を含む。第２ピン３１７が特殊形状端部１０５Ａの弓形スロット３１８に挿通されており、このスロット３１８はピボットピン２９０を中心にして一定半径で延在している。２本のピン３６０および３６１がベースブラケット２４４Ａからピボットピン２９０と反対の方向に延出している。ドライバ２９８Ａは、中央のピン３６０に回転可能に係合する穴３６３を設けた開口付き端部３６２を含む。端部３６２は、スパイラルスプリング３０３Ａの内端部３６５に係合するスロットを設けた外表面３６４を有する。外端部３６５はフック形で、ベルトブラケット１３２のピン３１７に固定的に係合することができる。フィンガ状スタッド３６６がドライバ２９８Ａの外端部３６７から側方に延出している。
【００６２】
レバー３０６Ａは、ピン３６１に回動可能に係合する穴３６８と、穴３６８の周囲に弓形に延在するスロット３６９とを設けた本体を含む。ピン３７０がレバー３０６Ａから延出して、カップ形ハンドル３１０Ａの内表面上のスパイラルカムスロット３１３Ａに係合する。レバー３０６Ａの歯３７１がドライバ２９８Ａのスタッド３６６に係合するように配置されている。ハンドル３１０Ａの穴３７２が、ベースブラケット２４４Ａのピボットピン３６０に回転可能に係合する。
【００６３】
ハンドル３１０Ａは、低張力位置（図１２Ｌおよび図１２ＬＬ）と高張力位置（図１２Ｍおよび図１２ＭＭ）との間で回転可能である。具体的に説明すると、ハンドル３１０Ａを回転させると、ピン３７０がスロット３１３Ａに沿って進み、レバー３０６Ａを穴３６８およびピボットピン３６１回りに回転させる。レバー３０６Ａが回転すると、歯３７１がピン３６６に係合してドライバ２９８Ａをピン３６０回りに回転させる。ドライバ２９８Ａの回転によって、スプリング３０３Ａの内端部３６５が回転し、これによってスプリング３０３Ａが巻き上げられる（または巻き戻される）。ドライバ２９８Ａ、レバー３６０Ａおよびハンドル３１０Ａの構造によって約４：１の機械的利益が得られるため、所望量の調節力をハンドル３１０Ａに加えてスパイラルスプリング３０３Ａを調節可能に巻くことができる。図示の例では、ハンドル３１０Ａを約３３０゜回転させることによって、約８０゜のスプリング張力調節巻き角が生じる。
【００６４】
任意であるが、最大の調節可能性を得るために、全体的に平坦であって前表面に幾つかのフック状タブ１５１を有するスライドフレーム１５０（図１９）を含む垂直方向調節式腰部システム３５（図１６）が設けられている。ばね鋼などの可撓性材料製の凹状腰部支持シート１５２（図１６）が、シート１５２の上下縁部に沿って弾性リーフスプリング様のフィンガ１５３を形成する複数の垂直スロットを含む。（任意の）高さ調節式背中支持シート１５２は基本的に、通常の背中支持圧力でその下側の背もたれシェルの形状に一致するまでたわむことができる丸みの付いた板ばねである。それを行う際に、それは背もたれを横切る方向に大きい力のバンドを提供する。これは、ユーザの背中のたわみ形状に関係なく、ユーザに高さ調節式局部背中支持を与える。このため、それはユーザを特別なこわばった背中姿勢に押しつけることなく、従来の腰部高さ調節の利点を与える。さらに、背もたれ上の織物または布張りは常に緊張状態に保持されるため、しわがない。しわをなくすために伸縮織物を使用することもできる。
【００６５】
ユーザは第２の理由から、すなわち背もたれシェルの形状をユーザの個々の背中の形状にさらに完全に合わせるためにこの装置を使用することもできる。特に下部の腰部／骨盤領域では、人は背中の形状が大幅に異なっている。極端な形状を有するユーザでは、背中がシェルにしっかりと接触しない領域内へ装置を摺動させることが好都合であろう。装置は、正確に「隙間を満たす」と共にこの領域を良好に支持することができる形状に効果的に変化するであろう。他の周知の腰部高さ調節器のいずれも、以下のようにこれを行うことはない。
【００６６】
フィンガ１５３の４つのチップ１５４が、特にフック状タブ１５１にしっかり係合してシート１５２をスライドフレーム１５０に固定することができる保持タブを形成している。フィンガ１５３の残りのチップ１５５は摺動可能にスライドフレーム１５０に係合し、凹状シートの中央部分１５６をスライドフレーム１５０の前方にそれから離れるように保持している。スライドフレーム１５０は背もたれシェル３１上で垂直方向に調節可能であり（図１６）、あるいは背もたれシェル３１および背もたれクッション間で背もたれシェル３１上に配置されている。あるいは、スライドフレーム１５０を背もたれクッションと背もたれ２２を覆う布張りの下側との間に配置することができ、背もたれ２２を覆う布地の外側で背もたれ２２の前面に配置することさえ可能である。スライドを垂直方向に調節することによって、この構造は腰掛けているユーザが背もたれシェル３１上の腰部領域の形状を調節し、これによって高度の快適さを得ることができる。側方に延出したガイド１５７（図１９）がスライドフレーム１５０の各端部に形成されている。ガイド１５７は、内向きの溝を形成する対向フランジ１５８を含む。成形ハンドル１５９（図２０）の各々がガイド１５７と入れ子式にはめ合わされる形状の脚部１６０を備えている（図１７および図１８）。ハンドル１５９はさらに、背もたれシェル３１の縁部に沿った縁部隆起部分１２７にスナップ式に係合してそれに沿って摺動する形状のＣ字形リップ１６０を含む。背もたれシェル３１上でのスライドフレーム１５０の垂直移動を案内するために他の手段、たとえばコード、背もたれシェルの縁部の内側に沿って成形されたトラックなどを設けることもできると考えられる。ハンドル１５９の拡大平坦端部分１６１が成形ハンドル１５９から側方外向きに延出している。注意すべき点として、端部分１６１はリップ１６０のすぐ外側の位置１６１’で比較的薄くなって、クッションおよび布張りシートを背もたれシェル３１に取り付けた時にハンドル１５９が背もたれ２２の側縁部に沿った比較的狭いスロットに挿通できるようにしている。
【００６７】
図１２に示された背もたれ２２は、背もたれ２２の前部を覆うための布張りシート４０２の下縁部に位置４０１で縫いつけられた伸縮織物４００を組み込んだ新規な構造を有する。伸縮織物４００はさらに、ポリプロピレンまたはポリエチレンなどの構造プラスチックの押し出し加工部材４０３のノッチ４０６に縫い込まれている。押し出し加工部材４０３は背もたれシェル３１の下部分４０４にスナップ式取り付け具、引っ掛け取り付け具、リベット、ねじ、他の機械式締結具または他の固定取り付け手段などの固定手段によって取り付けられている。背もたれ２２のフォームクッション４０５および垂直方向調節式腰部支持装置３５が布シート４０２と背もたれシェル３１との間に配置されている。伸縮織物は引き伸ばし率が少なくとも約１００％で、解放時の回復率が少なくとも約９０％であると考えられる。伸縮織物４００およびシート４０２は緊張状態で背もたれ２２上に縫いつけられているため、腰部領域２５１が平坦状態に近づくように大きく曲がっても、シート４０２にしわやひだが寄らない。伸縮織物４００はあまり見えない位置にあるが、所望ならば椅子の色に着色することもできる。カバー４０２を背もたれ２２の前部と共に後部も覆うように広げることができることに注意されたい。
【００６８】
主座部移動。座部の下部走行体(undercarriage)／支持フレームおよび軸受け構造
座部２４（図４Ｂ）は、座部前部スライド１６２および座部キャリア１２４を含む下部走行体によって支持されている。座部深さ調節を望む場合、手動深さ調節式座部フレーム１６３を（図４Ｂおよび図２１〜図３０に示されているように）座部キャリア１２４上に摺動可能に配置する。座部深さ調節を望まない場合、座部フレーム１６３および座部後部キャリア１２４の機能を図２９にフレーム部材１６３’で示されているような単一の構成部材に組み込むことができる。座部シェル１６４（図４Ｂ）が、座部キャリア１２４上に位置する臀部支持後部分１６５を含む。臀部支持後部分１６５は腰掛けているユーザの体重のほとんどを支持し、これに関しては幾分連結棒(perch)に似た作用をする。座部シェル１６４はさらに、座部フレーム１６３の前方に延出した大腿部支持前部分１６６を含む。前部分１６６は、腰掛けているユーザの股関節のほぼ下方でわずかに前方に戦略的に配置された弾性部分１６７によって後部分１６５に連結されている。弾性部分１６７には複数の横方向スロット１６８が設けられている。スロット１６８は比較的短く、座部シェル１６４を横切る方向に互い違いに配置されているが、座部シェル１６４の縁部から離れているため、座部シェル１６４の縁部に材料バンド１６９が完全で中断しない状態で残っている。バンド１６９は前後部分１６６および１６５を互いに堅固に連結してそれらをほぼ平坦状態に付勢する。座部クッション１７０が座部フレーム１６３上に配置され、布張りシートおよび接着剤の両方またはいずれか一方などで位置が固定されている。
【００６９】
スライド１６２（図４Ｂ）は、下方および内向きに延出したＣ字形側部フランジ１７２を有する上部パネル１７１を含む。線形潤滑性キャップ１７３がハウジング２６の各側壁の上に取り付けられ、対応の軸受け１７４がＣ字形側壁フランジ１７２の内側に取り付けられて、潤滑性キャップ１７３に摺動可能に係合する。このように、スライド１６２は前後に摺動可能にハウジング２６上に捕らえられている。座部取り付けブラケット５６が上部パネル１７１の下側に取り付けられて、背もたれ停止機構３６と協働するように配置されている。上部パネル１７１の上に軸１７４’が取り付けられ、その端部１７５がスライド１６２から側方に延出している。
【００７０】
座部キャリア１２４（図４Ｂ）は平面図でＴ字形である。座部キャリア１２４は板金から「Ｔ」字形に打ち抜き加工されており、比較的幅広の後部分１７６と狭い前部分１７７とを含む。この部材を補強するために、側部下向きフランジ１８１および側部上向きフランジ１８２と共に、細長い型押し部分１７８、１７９および１８０などの型押し部分が部分１７６および１７７に形成されている。後述する理由から、間隔を置いた２つのストップタブ１８３と一連のラッチ開口１８４が前部分１７７に形成されている。側部上向きフランジ１８２に溶接スタッド１２３が取り付けられて側方に延出している。前述したように、スタッド１２３はこの位置に座部傾動軸線２５を定める。
【００７１】
座部フレーム１６３（図４Ｂ）は、座部キャリア１２４と非常によく似たＴ字形であるが、座部フレーム１６３はもっとなべ形であり、全般的に座部キャリア１２４より大きく、座部シェル１６４および座部クッション１７０を支持するのにさらに適している。座部フレーム１６３は前部分１８５および後部分１８６を含む。前部分１８５は上部パネル１８７を含み、その側部に下向きフランジ１８８が設けられている。下向きフランジ１８８の前部の穴１８９が後述する能動(active)大腿部たわみ装置１９０用のピボット軸線を形成している。穴１８９から後方に離れた位置の別の穴１９１が、側方に延出して座部深さ調節の制御および能動大腿部たわみ装置１９０の制御を行う多機能制御部１９２を支持する軸を支持している。前部分１８５の中央が隆起して、深さラッチ１９７を回動可能かつ作動可能に支持するように協働する３つの開口１９４〜１９６を有する側壁１９３（図２３）を形成している。前部分１８５の中央に凹部１９８が形成され、凹部１９８の中央にスロット２００が切り込まれている。凹部１９８内にＴ字形停止リミッタ１９９（図２６）が配置されてねじ留めされており、リミッタ１９９のステム２０１がスロット２００に下向きに挿通されている（図２６および図２６Ａ）。逆Ｕ字形ブラケット２０３が幅広の後部分１７６に取り付けられている。Ｕ字形ブラケット２０３（図２８）は、後述する能動大腿部たわみ支持装置１９０に使用されるガススプリング２０４の一端部を回動可能に支持するための開口を有する。後部分１７６（図２３）は、周縁部に沿って延在するＵ字形チャネル部分２０５と最外縁部フランジ２０６とを含み、これらは共に後部分１７６の補強を行う。平坦領域２０５’が後部分１７６の両側に形成されて、後軸受け２０９の上部に摺動可能に係合する。
【００７２】
座部深さ調節
１対の平行な細長ブラケット２０７（図４Ｂ）がＵ字形チャネル部分２０５の前向きに延出した外側部の下側に取り付けられて、座部フレーム１６３を座部キャリア１２４上に摺動可能に支持している。細長いＺ字形ブラケット２０７は、座部フレーム１６３の下側で前後方向に延在する内向きのＣ字形ガイドまたはトラック（図２１）を形成している。所望ならば、滑らかな作動を得るために、ブラケット２０７のガイドの内側に軸受け部材を取り付ける。間隔を置いた２つの前部軸受け２０８（図４Ｂ）と間隔を置いた２つの後部軸受け２０９とが座部キャリア１２４の上部に取り付けられており、前部軸受け２０８は前部分１７７に取り付けられ、後部軸受け２０９は後部分１７６に取り付けられている。後部軸受け２０９は、ブラケット２０７内のガイドに摺動可能に係合するように構成され、さらにＣ字形ガイドのＣ字形部分内へ内向きに延出するトング２１０を含む。トング２１０は、座部フレーム１６３を座部キャリア１２４から上方に引き離すことができないように座部フレーム１６３を捕らえている。前部軸受け２０８は離隔位置で前部分１８７の下側に摺動可能に係合する。前部軸受け２０８は、座部フレーム１６３の前部分を捕らえるように形成することもできるが、この機能を行う大腿部たわみ装置により、これは必要ないと思われる。
【００７３】
座部２４の深さ調節は、座部フレーム１６３を座部キャリア１２４上の軸受け２０８および２０９上で最小座部深さの後方位置（図２４を参照）と最大座部深さの前方位置（図２５を参照）との間を手動式に摺動させることによって行われる。リミッタ１９９のステム２０１（図２６Ａ）が座部キャリア１２４の停止タブ１８３に係合して、座部２４が過度に前方または後方に調節されることを防止する。深さラッチ１９７（図２３）はＴ字形であり、座部フレーム１６３の開口１９４および１９５に回動可能に係合するピボットタブ２１２および２１２’を一方のアームに有している。深さラッチ１９７はさらに、座部フレーム１６３の開口１９５を貫通して座部キャリア１２４の一連のスロット２１４（図２６）の選択された１つにはまる下向きに延びたラッチ歯２１３を他方のアームに有する。深さラッチ１９７（図２３）の「ステム」が側方で外向きに延出し、作動タブ２１５を備えている。多機能制御部１９２は、多機能制御部の主要構成部材を支持する内部軸２１７を含む。これらの構成部材の１つとして、軸２１７に回転可能に取り付けられた内側スリーブ２１８がある。ハンドル２１９が内側スリーブ２１８の外端部に連結され、突出部２２０が内側スリーブ２１８の内端部に連結されている。突出部２２０は作動タブ２１５に連結されて、ハンドル２１９の回転によって突出部２２０が移動し、ラッチ１９７をラッチピボット１９４および１９５回りに上下離脱状態に回動させる。その結果、ラッチ歯２１３が一連のスロット２１４から解放されて、座部２４を新しい所望深さに調節することができる。内側スリーブ２１８上のスプリングがラッチ１９７を通常係合位置に押し付けている。内側スリーブ２１８またはラッチ１９７に作動連結された内部スプリングを含むなどの様々なスプリング構造を使用することができると考えられる。
【００７４】
座部の能動大腿部角度調節（無段階調節式ガススプリング）
座部シェル１６４の大腿部支持前部分１６６の下側に前補強プレート２２２（図２８）が取り付けられている。Ｚ字形ブラケット２２１がプレート２２２に取り付けられ、ブッシュ２２３がブラケット２２１およびプレート２２２間に固定されている。曲がりロッド軸２２４がブッシュ２２３内に回転可能に支持されており、座部フレーム１６３の下向きフランジ１８９の開口１９０に挿通されてその内部で回動可能に支持された端部分２２５および２２６を含む。端部分２２６は平坦側部を含み、Ｕ字形ブラケット２２７がその端部分２２６に回転不能に取り付けられて、ガススプリング２０４の端部を支持している。Ｕ字形ブラケット２２７は、曲がりロッド軸２２４の、ブッシュ２２３の方に延出した部分に対して一定角度で取り付けられているため、ガススプリング２０４が伸縮する時、Ｕ字形ブラケット２２７は座部シェル１６４の大腿部支持前部分１６６を昇降させるクランクとして作用する。具体的に説明すると、ガススプリング２０４はブラケット２２７および２０３間に作動可能に取り付けられて、伸長時に座部シェル１６４の大腿部支持前部分１６６を上昇させることによってさらなる大腿部支持を行う。注意すべき点として、ガススプリング２０４が固定伸長状態にロックされている時でも、大腿部支持部分１６６がある程度のたわみ性を与えるので、大腿部は常に快適に支持されている。しかしながら、この能動大腿部支持システムの無段階調節性が、特に脚の短い人に非常に有用である改良調節性を与える。
【００７５】
ガススプリング２０４（図２８）は戻り止め式であり、ブラケット２０３に取り付けられてガススプリング２０４を解放することによってその伸縮ロッドを伸長または後退可能にする解除ボタン２３３を後端部に備えている。そのようなガススプリング２０４は当該技術分野では周知である。多機能制御部１９２（図３）は、解除ボタン２３３を作動させるアクチュエータを備えている。具体的に言うと、多機能制御部１９２は、内側スリーブ２１８上に作動可能に配置された回転可能な外側スリーブ２２９（図２３）と、外側スリーブ２２９を回転させるハンドル２３０とを含む。外側スリーブ２２９の内側端部からコネクタ２３１が半径方向に延出している。ケーブル２３２が外側スリーブ２２９のコネクタ２３１から解除ボタン２３３（図２８）まで延在している。ケーブル２３２は、外側スリーブ２２９が回転した時にケーブル２３２が解除ボタン２３３を引張ってガススプリング２０４の内部ロックを解除することができるように選択された長さを有する。解除ボタン２３３は、通常ロック位置にばね付勢されている。腰掛けているユーザは、ハンドル２３０を操作してガススプリング２０４を解除することによって、能動大腿部たわみ支持システムを調節する。それから、腰掛けているユーザが座部シェル１６４の大腿部支持前部分１６６を押しつける（または、それから離れるように脚を上げる）ことによって、ガススプリング２３０が曲がりロッド軸２１７を作動させて大腿部支持前部分１６６を調節し直すことができる。注意すべき点として、能動大腿部支持システム１９０は、所定の調節範囲内で無段階調節を可能にする。
【００７６】
また、ボーデンケーブル２３５、スリーブ２３５’および側部ブラケット２３５”によって椅子高さを調節するための空気圧垂直高さ調節機構に作動連結された第２回転式ハンドル２３４が制御部１９２（図１０）において示されている。椅子高さ調節機構の詳細は周知であるので、ここでは説明する必要がない。
【００７７】
座部シェル１６４およびその支持構造体（図４Ｂ）は、腰掛けているユーザの大腿部をたわみ可能に支持するように構成されている。そのため、座部クッション１７０は腰掛けているユーザの股関節のわずかに前方の位置に窪み部分１７０Ａを有する（図１２）。布張りの上表面が座部シェル１６４のたわみのヒンジ軸線から上方に離れた位置にあるために大腿部支持領域が下方にたわむ時に窪み部分１７０Ａで引き伸ばされるため、座部クッション１７０Ｂを覆う布張りに窪み部分１７０Ａでタックまたはひだを寄せて、大腿部支持領域の下方たわみ時に材料が伸長できるようにする。あるいは、伸縮織物か、前後に分離した布張りクッションを使用することができる。
【００７８】
座部の受動(passive)／たわみ大腿部支持部（ガススプリングを用いない）
受動大腿部撓み装置２３７（図３０）は、座部シェル１６４の大腿部支持前部分１６６（図４Ｂ）の下側に取り付けられた補強プレート２３８を含む。１対のＬ字形停止タブ２３９（図２９）がプレート２３８の本体から下方に曲がっている。Ｌ字形タブ２３９は水平フィンガ２４０を備え、フィンガ２４０は座部フレーム１６３の前縁部２４１に重なる位置まで後方に延出している。ブッシュ２４２がＬ字形タブ２３９の内側に配置され、それに設けられたノッチ２４３が前縁部２４１に係合している。曲線形のリーフスプリング２４４が補強プレート２３８の下側に横方向に配置され、リーフスプリング２４４の端部２４５がブッシュ２４２の上部のリセスに係合している。リーフスプリング２４４は曲線形であって、本受動大腿部たわみ装置２３７内にある時には圧縮状態にある。腰掛けているユーザが大腿部で大腿部支持前部分１６６を押し下げると、リーフスプリング２４４の中間部分が曲がり、補強プレート２３８を座部フレーム１６３の前縁部２４１の方に移動させる。これが発生した時、各フィンガ２４０はそれぞれのブッシュ２４２から離れる（図３１）。腰掛けているユーザが大腿部支持前部分１６６上の下向きの圧力を除去すると、スプリング２４４は自然な曲がり形状にたわみ、ブッシュ２４２をフィンガ２４０に係合する位置に戻す（図３０）。注意すべき点として、この受動大腿部たわみ装置２３７は、ユーザが座部シェル１６４の大腿部支持前部分１６６の側部を独立的または同時にたわませることができるようにする。受動大腿部たわみ装置２３７のたわみ度は、ブッシュ２４２がＬ字形タブ２３９内で移動できる距離によって制限される。
【００７９】
以上の説明において、ここに開示されている概念から逸脱せずに本発明に変更を加えることができることは当該技術分野の専門家には容易に理解されるであろう。そのような変更は、そうでないと特許請求の範囲に明言されていない限り、特許請求の範囲に含まれるものと見なされる。
【図面の簡単な説明】
【図１】  本発明を具現したリクライニング式椅子の正面の斜視図である。
【図２】  本発明を具現したリクライニング式椅子の背面の斜視図である。
【図３】  本発明を具現したリクライニング式椅子の側面の斜視図である。
【図４Ａ】  図１に示されている椅子の上下部分の分解斜視図である。
【図４Ｂ】  図１に示されている椅子の上下部分の分解斜視図である。
【図５】  図１に示されている椅子の側面図であり、図５は直立位置にある時の椅子の可撓性および調節性を示している。
【図６】  図１に示されている椅子の側面図であり、図６はリクライニング中の背もたれおよび座部の移動を示している。
【図７】  座部下側の装飾カバーを取り除いて示す図１の椅子の正面図である。
【図８】  主エネルギ機構、モーメントの腕シフト調節機構および背もたれ停止機構を含む制御部の上面図であり、主エネルギ機構が比較的低トルク位置に調節されて、背もたれが直立位置にあって座部が後方休止位置にある時にとる向きであり、背もたれ停止機構は最大リクライニングが可能であるように背もたれを制限する中間位置にある。
【図８Ａ】  図８に示されているベースフレームおよび椅子制御部の斜視図であり、相対位置を示すために、座部および背中支持構造体の一部を点線で示し、制御部上の制御部材の一部を実線で示している。
【図９】  図８に示されている制御部および主エネルギ機構の斜視図であり、主エネルギ機構が低トルク位置に調節され、背もたれが直立位置にあって座部が後方に移動して示されている。
【図９Ａ】  図９に示されている制御部および主エネルギ機構の斜視図であり、主エネルギ機構が低トルク位置に調節されているが、背もたれがリクライニング位置にあって座部が前方に移動し、スプリングが圧縮されて示されている。
【図９Ｂ】  図９に示されている制御部および主エネルギ機構の斜視図であり、主エネルギ機構が高トルク位置に調節され、背もたれが直立位置にあって座部が後方に移動して示されている。
【図９Ｃ】  図９に示されている制御部および主エネルギ機構の斜視図であり、主エネルギ機構が高トルク位置に調節されているが、背もたれがリクライニング位置にあって座部が前方に移動し、スプリングが圧縮されて示されている。
【図９Ｄ】  図９〜図９Ｃの主エネルギ機構のねじり力対角たわみの曲線を示すグラフであり、上側の曲線は高トルク（主スプリングが長いモーメントの腕で係合）から得られる力を示し、下側の曲線は低トルク（主スプリングが短いモーメントの腕で係合）から得られる力を示している。
【図１０】  図８に示されている制御部および主エネルギ機構の拡大上面図であり、背もたれ停止機構を作動させる制御部を含み、背もたれ停止機構がオフ位置に示されている。
【図１１】  オーバートルク解放機構を含む主エネルギ機構用調節機構の分解図である。
【図１１Ａ】  変更形背もたれ停止制御部および関連のリンク機構の平面図である。
【図１１Ｂ】  図１１Ａの円で囲んだ部分の一部断面で示す拡大部分図である。
【図１１Ｃ】  図１１Ａの線ＸＩＣ−ＸＩＣに沿った断面図である。
【図１２】  背もたれフレームおよび可撓性背もたれシェルを含むと共に、腰掛けているユーザの骨格および肉体を含む、図１に示された背もたれアセンブリの側面図であり、背もたれシェルが実線で前方凸状形に示され、点線で様々なたわみ形に示されている。
【図１２Ａ】  図４Ａに示されている背もたれフレームの拡大斜視図であり、背もたれフレームを成形高分子外側シェルが透明であるかのように示して、補強部材が容易に見えるようにしている。
【図１２Ｂ】  図１２ＡのＸＸＩＩＢ−ＸＸＩＩＢ線に沿った断面図である。
【図１２Ｃ】  図１２ＡのＸＸＩＩＣ−ＸＸＩＩＣ線に沿った断面図である。
【図１２Ｄ】  腰掛けているユーザの背中になじんで移動することができる可撓性背もたれシェル構造体のさらなる実施形態を示している。
【図１２Ｅ】  腰掛けているユーザの背中になじんで移動することができる可撓性背もたれシェル構造体のさらなる実施形態を示している。
【図１２Ｆ】  腰掛けているユーザの背中になじんで移動することができる可撓性背もたれシェル構造体のさらなる実施形態を示している。
【図１２Ｇ】    腰掛けているユーザの背中になじんで移動することができる可撓性背もたれシェル構造体のさらなる実施形態を示している。
【図１２Ｈ】  腰掛けているユーザの背中になじんで移動することができる可撓性背もたれシェル構造体のさらなる実施形態を示している。
【図１２Ｉ】  腰掛けているユーザの背中になじんで移動することができる可撓性背もたれシェル構造体のさらなる実施形態を示している。
【図１２Ｊ】  図４Ａに示されているねじり調節式腰部支持スプリング機構の分解斜視図である。
【図１２ＪＪ】  図１２Ｊのハブおよびスプリング連結部分の、ハブの反対側から見た分解図である。
【図１２Ｋ】  変更形ねじり調節式腰部支持スプリング機構の分解斜視図である。
【図１２Ｌ】  図１２Ｋに示されている機構の、低トルク位置に調節されている時の側面図であり、図１２Ｌはスプリングドライバを強調している。
【図１２ＬＬ】  図１２Ｋに示されている機構の、低トルク位置に調節されている時の側面図であり、図１２ＬＬはレバーを強調している。
【図１２Ｍ】  図１２Ｋに示されている機構の、高トルク位置に調節されている時の側面図であり、図１２Ｍはスプリングドライバを強調している。
【図１２ＭＭ】  図１２Ｋに示されている機構の、高トルク位置に調節されている時の側面図であり、図１２ＭＭはレバーを強調している。
【図１２Ｎ】  図１２に示されている背もたれ構造の部分断面図である。
【図１３】  ＸＩＩＩ−ＸＩＩＩ線に沿った側部断面図であり、ベースフレームを背もたれフレームに相互連結すると共に、背もたれフレームを座部フレームに相互連結するピボットを示している。
【図１３Ａ】  図１３と同様であるが別の構造を示す変更形ピボットの側部断面図である。
【図１４Ａ】  背もたれシェルを背もたれフレームに連結する上部コネクタの斜視図である。
【図１４Ｂ】  背もたれシェルを背もたれフレームに連結する上部コネクタの正面図である。
【図１５】  図４Ａに示されている背もたれシェルの背面図である。
【図１６】  図４Ａに示されている垂直方向調節式腰部支持機構を含む背もたれの斜視図である。
【図１７】  図１６に示されている垂直方向調節式腰部支持機構の正面図である。
【図１８】  図１６に示されている垂直方向調節式腰部支持機構の上面図である。
【図１９】  図１８に示されている垂直方向調節式腰部支持機構のスライドフレームの正面図である。
【図２０】  図１７に示されている垂直方向調節式腰部支持機構の側方延出ハンドルおよび腰部支持機構のスライド部材へのその取り付け部分を一部断面で示す上面図である。
【図２１】  図４Ｂに示されている深さ調節式座部の斜視図であり、座部キャリアおよび座部キャリアに摺動可能に取り付けられた座部下部走行体／支持フレームを含み、座部下部走行体／支持フレームを部分的に破断して座部キャリア上の軸受けを示し、または座部クッションを取り除いてその下側の部品を示している。
【図２２】  図２１に示されている座部キャリアの上面図であり、座部下部走行体／後部フレームを除いているが、座部フレームスライド軸受けを示し、座部キャリア深さ調節器停止装置も示している。
【図２３】  図２１に示されている座部下部走行体／後部フレームおよび座部キャリアの上部斜視図であり、深さ調節部制御ハンドル、リンク機構および座部の選択深さ位置を保持するためのラッチを含む。
【図２４】  図２１に示されている深さ調節式座部の側面図であり、図２４は座部が最大座部深さに調節されているところを示している。
【図２５】  図２１に示されている深さ調節式座部の側面図であり、図２５は座部が最小座部深さに調節されているところを示し、両方とも最適大腿部支持を行うように座部シェルの前部分を調節するためのガススプリングを含む手動調節式「能動」大腿部支持システムも示している。
【図２６】  図２４および図２５に示されている座部支持構造体の上面図であり、座部キャリア（ほとんどが点線で示されている）と、座部下部走行体／後部フレームと、ガススプリングおよび座部の前部分を調節可能に支持する補強プレートを備えた能動大腿部支持システムと、座部の最大前後方向深さ調節を制限するストッパおよび深さ設定ラッチを含む深さ調節機構の一部とを含む。
【図２６Ａ】  図２６のＸＸＶＩＡ−ＸＸＶＩＡ線に沿った断面図であって、深さ調節機構用のストッパを示している。
【図２７】  図２６に示されている座部支持構造体の上部斜視図である。
【図２８】  図２６に示されている座部支持構造体の底部斜視図である。
【図２９】  図２６に示されているものと同様であるが、手動調節式大腿部支持システムの代わりに、座部の前部分を支持するためのリーフスプリングを含む受動大腿部支持システムを用いた座部の上部斜視図である。
【図３０】  図２６に示されているものと同様であるが、手動調節式大腿部支持システムの代わりに、座部の前部分を支持するためのリーフスプリングを含む受動大腿部支持システムを用いた座部の底部斜視図である。
【図３１】  図３０に示されているリーフスプリングの端部を支持するブラケットおよびガイドの底部斜視図であり、座部の大腿部支持前部分が下方にたわんで、リーフスプリングを平坦圧縮状態に近づくようにたわませた状態にある。
【符号の説明】
２０．椅子
２１．ベースアセンブリ
２４．座部
２７．主エネルギ機構
２８．スプリング
２９．モーメントの腕シフト調節機構
３０．背もたれフレーム
【図１】
0004104286.tif 000002
【図２】
0004104286.tif 000003
【図３】
0004104286.tif 000004
【図４Ａ】
0004104286.tif 000005
【図４Ｂ】
0004104286.tif 000006
【図５】
0004104286.tif 000007
【図６】
0004104286.tif 000008
【図７】
0004104286.tif 000009
【図８】
0004104286.tif 000010
【図８Ａ】
0004104286.tif 000011
【図９】
0004104286.tif 000012
【図９Ａ】
0004104286.tif 000013
【図９Ｂ】
0004104286.tif 000014
【図９Ｃ】
0004104286.tif 000015
【図９Ｄ】
0004104286.tif 000016
【図１０】
0004104286.tif 000017
【図１１】
0004104286.tif 000018
【図１１Ａ】
0004104286.tif 000019
【図１１Ｂ】
0004104286.tif 000020
【図１１Ｃ】
0004104286.tif 000021
【図１２】
0004104286.tif 000022
【図１２Ａ】
0004104286.tif 000023
【図１２Ｂ】
0004104286.tif 000024
【図１２Ｃ】
0004104286.tif 000025
【図１２Ｄ】
0004104286.tif 000026
【図１２Ｅ】
0004104286.tif 000027
【図１２Ｆ】
0004104286.tif 000028
【図１２Ｇ】
0004104286.tif 000029
【図１２Ｈ】
0004104286.tif 000030
【図１２Ｉ】
0004104286.tif 000031
【図１２Ｊ】
0004104286.tif 000032
【図１２ＪＪ】
0004104286.tif 000033
【図１２Ｋ】
0004104286.tif 000034
【図１２Ｌ】
0004104286.tif 000035
【図１２ＬＬ】
0004104286.tif 000036
【図１２Ｍ】
0004104286.tif 000037
【図１２ＭＭ】
0004104286.tif 000038
【図１２Ｎ】
0004104286.tif 000039
【図１３】
0004104286.tif 000040
【図１３Ａ】
0004104286.tif 000041
【図１４Ａ】
0004104286.tif 000042
【図１４Ｂ】
0004104286.tif 000043
【図１５】
0004104286.tif 000044
【図１６】
0004104286.tif 000045
【図１７】
0004104286.tif 000046
【図１８】
0004104286.tif 000047
【図１９】
0004104286.tif 000048
【図２０】
0004104286.tif 000049
【図２１】
0004104286.tif 000050
【図２２】
0004104286.tif 000051
【図２３】
0004104286.tif 000052
【図２４】
0004104286.tif 000053
【図２５】
0004104286.tif 000054
【図２６】
0004104286.tif 000055
【図２６Ａ】
0004104286.tif 000056
【図２７】
0004104286.tif 000057
【図２８】
0004104286.tif 000058
【図２９】
0004104286.tif 000059
【図３０】
0004104286.tif 000060
【図３１】
0004104286.tif 000061